(57)【特許請求の範囲】
【請求項１】
ワイヤレスネットワークにおいてユーザ機器（ＵＥ）のためのマルチキャリア割当ての通知を取得することと、
前記マルチキャリア割当ての少なくとも１つのキャリアとのＵＥ対話を管理するためのルールを実行するためにデータプロセッサを採用することを備えたワイヤレス通信のための方法であって、前記ルールが、
前記ＵＥまたは前記ワイヤレスネットワークに関係するワイヤレス状態を分析することと、
前記ワイヤレス状態に基づいて、前記少なくとも１つのキャリアを活動化または非活動化するように前記ＵＥに命令するコマンドを生成することと
を備え、下位レイヤシグナリングを介して前記コマンドを前記ＵＥに搬送するために通信インターフェースを採用することを備える方法において、
それぞれ前記ＵＥに割り振られた少なくとも１つの非アンカーキャリアの活動化および非活動化のために、前記少なくとも１つの非アンカーキャリアの各々のためのＨＳ−ＳＣＣＨオーダーのペアを予約することをさらに備え、
前記少なくとも１つの非アンカーキャリアの非活動化が、
パイロット信号またはＨＳ−ＳＣＣＨ信号以外の前記少なくとも１つの非アンカーキャリアの信号を無視するように前記ＵＥに命令すること、または
前記非アンカーキャリアのすべての信号を無視するように前記ＵＥに命令すること
のうちの少なくとも１つを備える、方法。
【請求項２】
前記少なくとも１つのキャリアを活動化または非活動化するように前記ＵＥに命令するために前記コマンドを採用することをさらに備える、請求項１に記載の方法。
【請求項３】
前記少なくとも１つのキャリアの活動化または非活動化に応答して、前記ＵＥによって採用されるアップリンクフィードバックチャネルのセットを取得することと、
アップリンクフィードバックチャネルの前記セット上で前記ＵＥによって送信されるチャネル品質インジケータ（ＣＱＩ）またはパケット肯定応答（ＡＣＫ）および否定ＡＣＫ（ＮＡＣＫ）データを復号するために、アップリンクフィードバックチャネルの前記セットのための復号方式を採用すること
をさらに備える、請求項２に記載の方法。
【請求項４】
前記ＵＥコマンドを前記ＵＥに搬送するために、前記ＵＥコマンドおよびＨＳ−ＳＣＣＨ信号のための高速共有制御チャネル（ＨＳ−ＳＣＣＨ）コマンドを採用することをさらに備える、請求項１に記載の方法。
【請求項５】
前記ＵＥによる前記ＵＥコマンドの受信または実行を示す前記ＵＥからの応答を取得することをさらに備える、請求項１に記載の方法。
【請求項６】
前記ＵＥコマンドを搬送するために前記ＵＥに割り当てられた少なくとも１つのアンカーまたは非アンカーキャリアを採用することをさらに備える、請求項１に記載の方法。
【請求項７】
前記ＵＥコマンドを搬送する際に不連続送信（ＤＴＸ）または不連続受信（ＤＲＸ）プロトコルを採用することをさらに備える、請求項１に記載の方法。
【請求項８】
前記マルチキャリア割当てが無線ネットワークコントローラ（ＲＮＣ）においてレイヤ３シグナリングプロトコルコマンドによって実装される、請求項１に記載の方法。
【請求項９】
前記ワイヤレス状態がネットワーク負荷の測定を備える、請求項１に記載の方法。
【請求項１０】
前記ネットワーク負荷測定が、ダウンリンク上の総電力またはコード使用量、アップリンク上のライズオーバサーマル（ＲｏＴ）インジケータによって、あるいは、ＵＥスループット、バッファステータス、または前記アップリンクもしくは前記ダウンリンクのいずれかの上のサービス品質パフォーマンスもしくは要件によって判断される、請求項９に記載の方法。
【請求項１１】
前記ワイヤレス状態が前記ＵＥのチャネル品質またはスループットの測定を備える、請求項１に記載の方法。
【請求項１２】
前記チャネル品質が、ダウンリンク上のＣＱＩまたはアップリンク上のスケジューリング情報（ＳＩ）によって判断される、請求項１１に記載の方法。
【請求項１３】
非アンカーワイヤレスキャリアとのＵＥ対話を管理するように構成されたモジュールのセットを実行するデータプロセッサを具備したワイヤレス通信のための装置であって、モジュールの前記セットが、
前記装置によってサービスされるＵＥのためのマルチキャリア割当ての通知を取得するインターフェースモジュールと、
ＵＥに関係するワイヤレス状態を測定する分析モジュールと、
前記非アンカーワイヤレスキャリアを活動化または非活動化するように前記ＵＥに命令する管理オーダーを生成する制御モジュールを備え、
下位レイヤ信号上で前記ＵＥに前記管理オーダーを搬送する通信インターフェースをさらに備える装置において、
非アンカーキャリアの活動化および非活動化のための、前記非アンカーキャリアのためのＨＳ−ＳＣＣＨオーダーのペアを生成する物理プロトコルモジュールをさらに備え、
前記物理プロトコルモジュールが、
前記非アンカーキャリアの信号を無視するように前記ＵＥに命令すること、または
前記非アンカーキャリアのパイロット信号またはＨＳ−ＳＣＣＨ信号のみを監視するように前記ＵＥに命令すること
のうちの少なくとも１つを行うように構成された、装置。
【請求項１４】
前記制御モジュールが、前記非アンカーワイヤレスキャリアを活動化または非活動化するように前記ＵＥに命令するために前記管理オーダーを採用する、請求項１３に記載の装置。
【請求項１５】
前記インターフェースモジュールが、前記非アンカーワイヤレスキャリアの活動化または非活動化に応答して、前記ＵＥによって採用されるアップリンクフィードバックチャネルのセットを取得し、
前記データプロセッサが、アップリンクフィードバックチャネルの前記セット上で前記ＵＥによって送信されるＣＱＩまたはＡＣＫおよびＮＡＣＫデータを復号するために、アップリンクフィードバックチャネルの前記セットのための復号方式を採用する、請求項１４に記載の装置。
【請求項１６】
前記管理オーダーが明示的コマンドまたは暗示的コマンドである、請求項１３に記載の装置。
【請求項１７】
前記明示的コマンドが物理レイヤＨＳ−ＳＣＣＨオーダーを備えること、または
前記暗示的コマンドが、少なくとも部分的にレイヤ２シグナリングプロトコルを介して生成されるＤＴＸまたはＤＲＸメッセージを備えること
のうちの少なくとも１つである、請求項１６に記載の装置。
【請求項１８】
前記管理オーダーの受信または実行を示す前記ＵＥからの応答を取得するフィードバックモジュールをさらに備える、請求項１３に記載の装置。
【請求項１９】
前記通信インターフェースが、前記管理オーダーを搬送するために、前記ＵＥによって利用されるアンカーキャリアを採用する、請求項１３に記載の装置。
【請求項２０】
前記マルチキャリア割当てが、前記ＵＥをサービスするワイヤレスネットワークＲＮＣによってレイヤ３プロトコル上で実装される、請求項１３に記載の装置。
【請求項２１】
ネットワーク負荷に応じて前記ワイヤレス状態を確立するローディングモジュールをさらに備える、請求項１３に記載の装置。
【請求項２２】
前記ローディングモジュールが、電力またはコード使用量に基づくダウンリンク負荷または測定されたＲｏＴに基づくアップリンク負荷を測定するか、あるいは、ＵＥスループット、バッファ状況、または前記ダウンリンクもしくは前記アップリンクのいずれかの上のサービス品質（ＱｏＳ）パフォーマンスもしくは要件を採用する、請求項２１に記載の装置。
【請求項２３】
チャネル品質または前記ＵＥのスループットに応じて前記ワイヤレス状態を確立するチャネル分析モジュールをさらに備える、請求項１３に記載の装置。
【請求項２４】
前記チャネル分析モジュールが、前記ワイヤレス状態を確立するためにＣＱＩまたはＳＩを採用する、請求項２３に記載の装置。
【請求項２５】
前記ＵＥの電力消費目標を取得するパフォーマンスモジュールをさらに備え、前記電力消費目標が、前記管理オーダーを生成する際に前記制御モジュールによって採用される、請求項１３に記載の装置。
【請求項２６】
ワイヤレスネットワークにおいてＵＥのためのマルチキャリア割当ての通知を取得する手段と、
前記マルチキャリア割当ての少なくとも１つのキャリアとのＵＥ対話を管理するためのルールを実行するためにデータプロセッサを採用する手段を具備したワイヤレス通信のための装置であって、前記ルールが、
前記ＵＥまたは前記ワイヤレスネットワークに関係するワイヤレス状態を分析することと、
前記ワイヤレス状態に基づいて、前記少なくとも１つのキャリアを活動化または非活動化するように前記ＵＥに命令するコマンドを生成することを備え、
前記装置が、下位レイヤシグナリングを介して前記コマンドを前記ＵＥに搬送する手段と、
非アンカーキャリアの活動化および非活動化のための、前記非アンカーキャリアのためのＨＳ−ＳＣＣＨオーダーのペアを生成する物理プロトコルモジュールを備え、
前記物理プロトコルモジュールが、
前記非アンカーキャリアの信号を無視するように前記ＵＥに命令すること、または
前記非アンカーキャリアのパイロット信号またはＨＳ−ＳＣＣＨ信号のみを監視するように前記ＵＥに命令すること
のうちの少なくとも１つを行うように構成された、装置。
【請求項２７】
ワイヤレス通信のために構成された少なくとも１つのプロセッサであって、
ワイヤレスネットワークにおいてＵＥのためのマルチキャリア割当ての通知を取得するための第１のモジュールと、
前記ＵＥまたは前記ワイヤレスネットワークに関係するワイヤレス状態を分析するための第２のモジュールと、
前記ワイヤレス状態に基づいて、前記少なくとも１つのキャリアを活動化または非活動化するように前記ＵＥに命令するコマンドを生成するための第３のモジュールと、
下位レイヤシグナリングを介して前記コマンドを前記ＵＥに搬送するための第４のモジュールと、
非アンカーキャリアの活動化および非活動化のための、前記非アンカーキャリアのためのＨＳ−ＳＣＣＨオーダーのペアを生成する物理プロトコルモジュールを備え、
前記物理プロトコルモジュールが、
前記非アンカーキャリアの信号を無視するように前記ＵＥに命令すること、または
前記非アンカーキャリアのパイロット信号またはＨＳ−ＳＣＣＨ信号のみを監視するように前記ＵＥに命令すること
のうちの少なくとも１つを行うように構成された、プロセッサ。
【請求項２８】
ワイヤレスネットワークにおいてＵＥのためのマルチキャリア割当ての通知を取得することをコンピュータに行わせるためのコードの第１のセットと、
前記ＵＥまたは前記ワイヤレスネットワークに関係するワイヤレス状態を分析することを前記コンピュータに行わせるためのコードの第２のセットと、
前記ワイヤレス状態に基づいて、前記少なくとも１つのキャリアを活動化または非活動化するようにＵＥコマンドを生成することを前記コンピュータに行わせるためのコードの第３のセットと、
下位レイヤシグナリングを介して前記コマンドを前記ＵＥに搬送することを前記コンピュータに行わせるためのコードの第４のセットと、
非アンカーキャリアの活動化および非活動化のための、前記非アンカーキャリアのためのＨＳ−ＳＣＣＨオーダーのペアを生成する物理プロトコルコードのセットを備え、
前記物理プロトコルコードが、
前記非アンカーキャリアの信号を無視するように前記ＵＥに命令すること、または
前記非アンカーキャリアのパイロット信号またはＨＳ−ＳＣＣＨ信号のみを監視するように前記ＵＥに命令すること
のうちの少なくとも１つを行うように構成された、非一時的なコンピュータ可読媒体。
【請求項２９】
ワイヤレス通信に関与するための装置であって、
ワイヤレスシグナリングプロトコルの１つのレイヤ上でマルチキャリア割当てを取得し、前記ワイヤレスシグナリングプロトコルのレイヤ２または物理レイヤ上で前記マルチキャリア割当てを活動化または非活動化するコマンドを取得するワイヤレス通信インターフェースと、
前記コマンドを処理し、前記コマンドを実装するためのモジュールのセットを実行するためのデータプロセッサと、
前記マルチキャリア割当てによって指定された非アンカーキャリアを開始または非活動化する活動化モジュールを備え、
前記活動化モジュールが、
前記非アンカーキャリアを非活動化するために、そのようなキャリア上のシグナリングを無視すること、または
前記非アンカーキャリアを非活動化するために、そのようなキャリア上の非パイロットまたは非共有制御チャネルシグナリングを無視すること
のうちの少なくとも１つを行うように構成された、装置。
【請求項３０】
前記ワイヤレスシグナリングプロトコルの前記１つのレイヤがレイヤ３シグナリングプロトコルである、請求項２９に記載の装置。
【請求項３１】
前記活動化モジュールが、
前記非アンカーキャリアの前記活動化または非活動化に応答して、チャネルフィードバックデータを提出する際に採用されるアップリンクフィードバックチャネルを調整し、前記調整されたフィードバックチャネルをサービング基地局に提出すること、または
前記非アンカーキャリアの活動化または非活動化に応答してＣＱＩまたはＡＣＫおよびＮＡＣＫ符号化フォーマットを変更し、前記変更された符号化フォーマットを前記サービング基地局に提出すること
のうちの少なくとも１つを行う、請求項２９に記載の装置。
【請求項３２】
前記コマンドに基づいて、前記非アンカーキャリアのためのチャネル報告を活動化または非活動化するフィードバックモジュールをさらに備える、請求項２９に記載の装置。
【請求項３３】
前記コマンドの処理時に前記データプロセッサによってカウンタを設定するタイミングモジュールをさらに備え、前記装置が、前記カウンタによって確立された継続時間の間前記コマンドに従う、請求項２９に記載の装置。
【請求項３４】
前記データプロセッサが、
前記継続時間内に後続のマルチキャリアコマンドが受信された場合は、そのような後続のコマンドに従うこと、
前記継続時間内にコマンドが受信されない場合は、前記装置をデフォルトのシングルキャリア状況に戻すこと、または
前記継続時間内にコマンドが受信されない場合は、前記装置を以前の状況に戻すこと
のうちの少なくとも１つを行う、請求項３３に記載の装置。
【請求項３５】
前記ワイヤレスシグナリングプロトコルの異なるレイヤからの前記コマンドを復号する分析モジュールをさらに備える、請求項２９に記載の装置。
【請求項３６】
前記分析モジュールが、前記コマンドを、
共有制御チャネルオーダー、または
ＤＲＸまたはＤＴＸ論理オーダー
のうちの少なくとも１つとして復号する、請求項３５に記載の装置。
【請求項３７】
前記データプロセッサが、ＤＲＸまたはＤＴＸチャネル上のシグナリングアクティビティに基づいて、前記ＤＲＸまたはＤＴＸ論理オーダーからのコマンドを推論する、請求項３６に記載の装置。
【請求項３８】
シングルまたはマルチキャリアチャネルに関係するＣＱＩまたはＳＩデータを、前記装置にサービスするワイヤレスネットワークアクセスポイントに提出する報告モジュールをさらに備える、請求項２９に記載の装置。
【請求項３９】
前記報告モジュールが、
前記アクセスポイントからの要求に応答して前記データを提出すること、または
前記ワイヤレスネットワークによって報告が開始されるとき、前記応答を周期的に提出すること
のうちの少なくとも１つを行う、請求項３８に記載の装置。
【請求項４０】
前記マルチキャリア割当てに関係する前記装置の動作目標を維持する管理モジュールをさらに備える、請求項２９に記載の装置。
【請求項４１】
前記管理モジュールが、
前記動作目標に基づいて、前記装置のためのマルチキャリアアクティビティのネットワーク管理を可能にするために、サービングネットワークアクセスポイントに前記目標を提出すること、または
マルチキャリアアクティビティのＵＥ並み管理を可能にするために、前記目標に基づいて、前記コマンドに従うこと、拒否すること、または修正すること
のうちの少なくとも１つを行う、請求項４０に記載の装置。
【請求項４２】
ワイヤレス通信に関与するための装置であって、
ワイヤレスネットワーク構成要素からマルチキャリア割当てを取得するためにワイヤレス通信インターフェースを採用する手段と、
物理レイヤまたはレイヤ２シグナリングプロトコルメッセージを取得するために前記通信インターフェースを採用する手段と、
前記メッセージから前記マルチキャリア割当ての非アンカーキャリアを活動化または非活動化するコマンドを抽出するためにデータプロセッサを採用する手段と、
前記マルチキャリア割当てによって指定された前記非アンカーキャリアを開始または非活動化する活動化モジュールを備え、
前記活動化モジュールが、
前記非アンカーキャリアを非活動化するために、そのようなキャリア上のシグナリングを無視すること、または
前記非アンカーキャリアを非活動化するために、そのようなキャリア上の非パイロットまたは非共有制御チャネルシグナリングを無視すること
のうちの少なくとも１つを行うように構成された、装置。
【請求項４３】
ワイヤレス通信に関与するように構成された少なくとも１つのプロセッサであって、
ワイヤレスネットワーク構成要素からマルチキャリア割当てを取得するためにワイヤレス通信インターフェースを採用する第１のモジュールと、
物理レイヤまたはレイヤ２シグナリングプロトコルメッセージを取得するために前記通信インターフェースを採用する第２のモジュールと、
前記メッセージから前記マルチキャリア割当ての非アンカーキャリアを活動化または非活動化するコマンドを抽出するためにデータプロセッサを採用する第３のモジュールと、
前記マルチキャリア割当てによって指定された前記非アンカーキャリアを開始または非活動化する活動化モジュールを備え、
前記活動化モジュールが、
前記非アンカーキャリアを非活動化するために、そのようなキャリア上のシグナリングを無視すること、または
前記非アンカーキャリアを非活動化するために、そのようなキャリア上の非パイロットまたは非共有制御チャネルシグナリングを無視すること
のうちの少なくとも１つを行うように構成された、プロセッサ。
【請求項４４】
ワイヤレスネットワーク構成要素からマルチキャリア割当てを取得するためにワイヤレス通信インターフェースを採用することをコンピュータに行わせるコードの第１のセットと、
物理レイヤまたはレイヤ２シグナリングプロトコルメッセージを取得するために前記通信インターフェースを採用することを前記コンピュータに行わせるコードの第２のセットと、
前記メッセージから前記マルチキャリア割当ての非アンカーキャリアを活動化または非活動化するコマンドを抽出するためにデータプロセッサを採用することを前記コンピュータに行わせるコードの第３のセットと、
前記マルチキャリア割当てによって指定された前記非アンカーキャリアを開始または非活動化する活動化コードのセットを備え、
前記活動化コードが、
前記非アンカーキャリアを非活動化するために、そのようなキャリア上のシグナリングを無視すること、または
前記非アンカーキャリアを非活動化するために、そのようなキャリア上の非パイロットまたは非共有制御チャネルシグナリングを無視すること
のうちの少なくとも１つを行うように構成された、非一時的なコンピュータ可読媒体。
【発明の詳細な説明】
【技術分野】
【０００１】
米国特許法第１１９条に基づく優先権の主張
本特許出願は、その全体が参照により本明細書に明白に組み込まれる、２００８年３月２５日に出願された「FAST CARRIER ALLOCATION IN MULTI-CARRIER HSPA SYSTEMS」と題する米国仮出願第６１／０３９，１６５号の優先権を主張する。
【０００２】
以下は、一般にワイヤレス通信に関し、より詳細には、ワイヤレス通信環境におけるマルチキャリアワイヤレスチャネルの割振りに関する。
【背景技術】
【０００３】
ワイヤレス通信システムは、たとえば、ボイスコンテンツ、データコンテンツ、ビデオコンテンツ、パケットデータサービス、ブロードキャストサービス、メッセージングサービス、マルチメディアサービスなど、様々なタイプの通信コンテンツおよびサービスを提供するために広く展開されている。代表的なワイヤレス通信システムは、使用可能なシステムリソース（たとえば、帯域幅、送信電力）を共有することによって複数のユーザとの通信をサポートすることができる多元接続システムとすることができる。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがある。
【０００４】
一般に、ワイヤレス多元接続通信システムは、複数のモバイルデバイスのための通信を同時にサポートすることができる。各モバイルデバイスは、順方向リンクおよび逆方向リンク上での送信を介して１つまたは複数の基地局と通信することができる。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、１入力１出力（ＳＩＳＯ）システム、多入力１出力（ＭＩＳＯ）システム、または多入力多出力（ＭＩＭＯ）システムを介して確立できる。
【０００５】
ワイヤレス通信システムは、一般に、情報を送信するための特定のキャリア周波数を使用する。選択されるキャリア周波数はワイヤレスシステムのタイプに依存する。たとえば、セルラシステムは政府認可周波数スペクトルを使用するが、他のシステム（たとえば、無線、ＷｉＦｉなど）は非認可スペクトルを使用する。さらに、キャリア周波数の帯域幅は、スループットまたはデータレートとも呼ばれる、ある時間期間に搬送できるデータ量に関係する。
【０００６】
キャリア帯域幅は一般に特定のワイヤレスシステムによって固定されるが（たとえば、２メガヘルツ［ＭＨｚ］、２．５ＭＨｚ、５ＭＨｚなど）、高いデータレートを必要とするアプリケーション用に帯域幅を増大させるために、マルチキャリアシステムが最近開発された。さらに、マルチキャリアシステムは、複数のキャリアにわたる共同リソース割振りおよび負荷分散によってリソース利用およびスペクトル効率の改善をもたらすことができる。マルチキャリアシステムでは、端末に複数のキャリアチャネルが割り振られ、端末はそれらのキャリアチャネルを統合して、情報が端末に送信されるレートまたは情報が端末から送信されるレートを高めることができる。端末に対するトラフィック要件が低下すると、追加の（１つまたは複数の）キャリアを解放して、他の端末のためのチャネルを空けることができる。
【０００７】
上記の一例として、マルチキャリア高速パケットアクセス（ＭＣ−ＨＳＰＡ）はＨＳＰＡシステムの発展型であり、２つの５ＭＨｚキャリアチャネルを統合してチャネル帯域幅を増大させることにより、スループットおよびデータレートが向上する。ＭＣ−ＨＳＰＡシステムは、第３世代パートナーシッププロジェクト（３ＧＰＰ）リリース７（Ｒ７）、Ｒ６、Ｒ５、およびリリース´９９（Ｒ９９）など、以前のプロトコルを用いて設計された端末に対して後方互換性がある。さらに、事業者のために、ＭＣ−ＨＳＰＡシステムでは、事業者に認可される複数のキャリアが周波数スペクトル内で連続していなくても、効率的でフレキシブルなスペクトル資産利用が可能である。
【０００８】
それらの利益にもかかわらず、マルチキャリアシステムに関連するいくつかの問題がある。最初に、端末は、一般に、複数のキャリアにわたって復調または復号する必要があり、プロセッサ消費を著しく増大させる。これは、端末のバッテリ寿命に悪影響を及ぼす。さらに、端末は、しばしば、複数のキャリアの各々の上でダウンリンクチャネル状態と送信結果とを含む追加のフィードバック情報をサービングネットワークに提供する必要がある。追加のコストが複数のアップリンクキャリアに関連する可能性もある。したがって、フレキシビリティ、スループットおよび低レイテンシを維持しながら端末バッテリの消耗を緩和するマルチキャリアシステムであれば、既存のマルチキャリアシステムに勝る著しい利点を提供するであろう。
【発明の概要】
【０００９】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【００１０】
本開示は、マルチキャリアワイヤレス通信システムにおいて追加のキャリアの高速割振りを可能にする。本開示のいくつかの態様では、追加のキャリアへのユーザ機器（ＵＥ）アクセスを管理するために下位レイヤシグナリングプロトコルを採用することができる。下位レイヤシグナリングは比較的高速である（たとえば、２ミリ秒［２ｍｓ］程度の低いＴＴＩを有する）ので、チャネル状態の同時変化に応答して、追加のキャリアの活動化または非活動化を迅速に実装することができる。
【００１１】
本開示の特定の態様によれば、下位レイヤマルチキャリア管理は、物理レイヤシグナリングまたはレイヤ２シグナリング、あるいはその適切な組合せを採用することができる。レイヤ２シグナリングは、ＵＥへの不連続送信（ＤＴＸ）または不連続受信（ＤＲＸ）シグナリングに基づいて推論されたコマンドを備えることができる。物理レイヤシグナリングは、明示的マルチキャリア管理コマンドを与える共有制御チャネル（ＳＣＣＨ）または高速ＳＣＣＨ（ＨＳ−ＳＣＣＨ）オーダーを採用することができる。ＵＥがコマンドを受信または復号すると、ＵＥは、マルチキャリアシステムに関してその状況を調整し、コマンドに応答してネットワークに肯定応答を送信することができる。したがって、ＵＥは、低需要期間中にバッテリ電力を保持しながら、高需要トラフィックに適応するために追加のキャリアを迅速に活動化または非活動化させることができる。
【００１２】
本開示の特定の態様によれば、ワイヤレス通信のための方法が提供される。本方法は、ワイヤレスネットワークにおいてユーザ機器（ＵＥ）のためのマルチキャリア割当ての通知を取得することを備えることができる。本方法は、マルチキャリア割当ての少なくとも１つのキャリアとのＵＥ対話を管理するためのルールを実行するためにデータプロセッサを採用することをさらに備えることができ、ルールは、ＵＥまたはワイヤレスネットワークに関係するワイヤレス状態を分析することと、ワイヤレス状態に基づいて少なくとも１つのキャリアに関係するＵＥコマンドを生成することとを備える。さらに、本方法は、下位レイヤシグナリングを介してコマンドをＵＥに搬送するために通信インターフェースを採用することを備えることができる。
【００１３】
本開示の他の態様では、ワイヤレス通信のための装置が提供される。本装置は、非アンカーワイヤレスキャリアとのＵＥ対話を管理するように構成されたモジュールのセットを実行するデータプロセッサを備えることができる。さらに、モジュールのセットは、本装置によってサービスされるＵＥのためのマルチキャリア割当ての通知を取得するインターフェースモジュールと、ＵＥに関係するワイヤレス状態を測定する分析モジュールと、ＵＥのための非アンカーワイヤレスキャリアに関係する管理オーダーを生成する制御モジュールとを備えることができる。上記に加えて、本装置は、下位レイヤ信号上でＵＥに管理オーダーを搬送する通信インターフェースを備えることができる。
【００１４】
さらなる態様によれば、ワイヤレス通信のための装置が開示される。本装置は、ワイヤレスネットワークにおいてＵＥのためのマルチキャリア割当ての通知を取得するための手段を備えることができる。さらに、本装置は、マルチキャリア割当ての少なくとも１つのキャリアとのＵＥ対話を管理するためのルールを実行するためにデータプロセッサを採用するための手段を備えることができる。詳細には、ＵＥを管理するためのルールは、ＵＥまたはワイヤレスネットワークに関係するワイヤレス状態を分析することと、少なくとも１つのキャリアに関係するＵＥコマンドをワイヤレス状態に基づいて生成することとを含むことができる。上記に加えて、本装置は、下位レイヤシグナリングを介してコマンドをＵＥに搬送するための手段を備えることができる。
【００１５】
１つまたは複数の他の態様では、ワイヤレス通信のために構成された少なくとも１つのプロセッサが提供される。（１つまたは複数の）プロセッサは、ワイヤレスネットワークにおいてＵＥのためのマルチキャリア割当ての通知を取得するための第１のモジュールと、ＵＥまたはワイヤレスネットワークに関係するワイヤレス状態を分析するための第２のモジュールとを備えることができる。さらに、（１つまたは複数の）プロセッサは、ワイヤレス状態に基づいて少なくとも１つのキャリアに関係するＵＥコマンドを生成するための第３のモジュールと、下位レイヤシグナリングを介してコマンドをＵＥに搬送するための第４のモジュールとを備えることができる。
【００１６】
他の態様によれば、コンピュータ可読媒体を備えるコンピュータプログラム製品が本明細書で開示される。本コンピュータ可読媒体は、ワイヤレスネットワークにおいてＵＥのためのマルチキャリア割当ての通知を取得することをコンピュータに行わせるためのコードの第１のセットと、ＵＥまたはワイヤレスネットワークに関係するワイヤレス状態を分析することをコンピュータに行わせるためのコードの第２のセットとを備えることができる。さらに、本コンピュータ可読媒体は、ワイヤレス状態に基づいて少なくとも１つのキャリアに関係するＵＥコマンドを生成することをコンピュータに行わせるためのコードの第３のセットと、下位レイヤシグナリングを介してコマンドをＵＥに搬送することをコンピュータに行わせるためのコードの第４のセットとを備えることができる。
【００１７】
上記に加えて、ワイヤレス通信に関与するための方法が開示される。本方法は、ワイヤレスネットワーク構成要素からマルチキャリア割当てを取得するためにワイヤレス通信インターフェースを採用することを備えることができる。さらに、本方法は、物理レイヤまたはレイヤ２シグナリングプロトコルメッセージを取得するために通信インターフェースを採用することを備えることができる。さらに、本方法は、メッセージからマルチキャリア割当ての非アンカーキャリアに関係するコマンドを抽出するためにデータプロセッサを採用することを備えることができる。
【００１８】
他の態様によれば、ワイヤレス通信に関与するための装置が提供される。本装置は、ワイヤレスシグナリングプロトコルの１つのレイヤ上でマルチキャリア割当てを取得し、ワイヤレスシグナリングプロトコルの異なるレイヤ上でマルチキャリア割当てに関係するコマンドを取得するワイヤレス通信インターフェースを備えることができる。さらに、本装置は、コマンドを処理し、コマンドを実装するためのモジュールのセットを実行するためのデータプロセッサを備えることができる。
【００１９】
さらに他の態様によれば、ワイヤレス通信に関与するための装置が開示される。本装置は、ワイヤレスネットワーク構成要素からマルチキャリア割当てを取得するためにワイヤレス通信インターフェースを採用するための手段を備えることができる。さらに、本装置は、物理レイヤまたはレイヤ２シグナリングプロトコルメッセージを取得するために通信インターフェースを採用するための手段を備えることができる。さらに、本装置は、メッセージからマルチキャリア割当ての非アンカーキャリアに関係するコマンドを抽出するためにデータプロセッサを採用するための手段を備えることができる。
【００２０】
本開示の少なくとも１つの他の態様では、ワイヤレス通信に関与するように構成された少なくとも１つのプロセッサが提供される。（１つまたは複数の）プロセッサは、ワイヤレスネットワーク構成要素からマルチキャリア割当てを取得するためにワイヤレス通信インターフェースを採用するための第１のモジュールを備えることができる。（１つまたは複数の）プロセッサは、物理レイヤまたはレイヤ２シグナリングプロトコルメッセージを取得するために通信インターフェースを採用するための第２のモジュールをも備えることができる。上記に加えて、（１つまたは複数の）プロセッサは、メッセージからマルチキャリア割当ての非アンカーキャリアに関係するコマンドを抽出するためにデータプロセッサを採用するための第３のモジュールを備えることができる。
【００２１】
さらなる態様によれば、コンピュータ可読媒体を備えるコンピュータプログラム製品が提供される。本コンピュータ可読媒体は、マルチキャリア割当てをワイヤレスネットワーク構成要素から取得するためにワイヤレス通信インターフェースを採用することをコンピュータに行わせるためのコードの第１のセットを備えることができる。さらに、本コンピュータ可読媒体は、物理レイヤまたはレイヤ２シグナリングプロトコルメッセージを取得するために通信インターフェースを採用することをコンピュータに行わせるためのコードの第２のセットを備えることができる。さらに、本コンピュータ可読媒体は、メッセージからマルチキャリア割当ての非アンカーキャリアに関係するコマンドを抽出するためにデータプロセッサを採用することをコンピュータに行わせるためのコードの第３のセットを備えることができる。
【００２２】
上記および関連する目的を達成するために、１つまたは複数の態様は、以下で十分に説明し、特に特許請求の範囲で指摘する特徴を備える。以下の説明および添付の図面に１つまたは複数の態様のうちのいくつかの例示的な態様を詳細に記載する。ただし、これらの態様は、様々な態様の原理を使用することができる様々な方法のほんのいくつかを示すものであり、説明する態様は、すべてのそのような態様およびそれらの均等物を含むものとする。
【図面の簡単な説明】
【００２３】
【図１】本明細書で開示する態様による高速キャリア割振りを行う例示的なシステムのブロック図。
【図２】ワイヤレス通信において下位レイヤキャリア割振りを採用する例示的なシステムのブロック図。
【図３】いくつかの態様による、マルチキャリア割振りのためにフィードバックを採用する例示的なシステムのブロック図。
【図４】他の態様による、システム負荷に基づいてキャリアアクセスを制御する例示的なシステムのブロック図。
【図５】高速キャリア割振りのために構成された基地局を備える例示的なシステムのブロック図。
【図６】マルチキャリア管理のために下位レイヤコマンドを採用する例示的なＵＥのブロック図。
【図７】さらなる態様による、高速キャリア割振りを行うための例示的な方法のフローチャート。
【図８】ネットワーク向けキャリア管理のためのマルチレイヤシグナリングのための例示的な方法のフローチャート。
【図９】本明細書で開示する態様による、マルチキャリア割振り管理のための例示的な方法のフローチャート。
【図１０】マルチキャリア利用のためにマルチレイヤシグナリングを採用するための例示的な方法のフローチャート。
【図１１】マルチキャリア通信における動的キャリア割振りのための例示的なシステムのブロック図。
【図１２】マルチキャリア通信における動的キャリア割振りのための例示的なシステムのブロック図。
【図１３】本明細書で開示する態様による例示的なワイヤレス通信装置のブロック図。
【図１４】ワイヤレスデバイス間の通信のための例示的なセルラー環境のブロック図。
【図１５】ワイヤレス通信のための例示的なワイヤレスシグナリング環境のブロック図。
【発明を実施するための形態】
【００２４】
次に、図面を参照しながら様々な態様について説明する。図面では、全体にわたって同様の要素を指すのに同様の参照符号を使用する。以下の記述では、説明の目的で、１つまたは複数の態様の完全な理解を与えるために多数の具体的な詳細を記載する。ただし、そのような（１つまたは複数の）態様は、これらの特定の詳細なしに実施できることは明らかであろう。他の例では、１つまたは複数の態様の説明を円滑にするために、よく知られた構造およびデバイスはブロック図の形態で示す。
【００２５】
さらに、本開示の様々な態様について以下で説明する。本明細書の教示は多種多様な形で実施でき、本明細書で開示する特定の構造および／または機能は代表的なものにすぎないことは明らかであろう。本明細書の教示に基づいて、本明細書で開示する態様は他の態様とは無関係に実現できること、およびこれらの態様のうちの２つ以上を様々な方法で組み合わせることができることを、当業者なら諒解されよう。たとえば、本明細書に記載の態様をいくつ使用しても、装置を実現し、および／または方法を実施することができる。さらに、本明細書に記載の態様のうちの１つまたは複数に加えて、あるいはそれら以外に、他の構造および／または機能を使用して装置を実現し、および／または方法を実施することができる。例として、本明細書で説明する方法、デバイス、システムおよび装置の多くについては、マルチキャリアワイヤレスシステムにおける高速キャリア割振りのために下位キャリアシグナリングを採用するコンテキストで説明する。同様の技法が他の通信環境に適用できることを、当業者なら諒解されよう。
【００２６】
マルチキャリアワイヤレス通信システム（たとえば、高速パケットアクセス［ＨＳＰＡ］）では、（１つまたは複数の）追加のキャリアが、ワイヤレスネットワーク内の各アクセス端末（ＡＴ）にかなりの利益を与えることができる。さらに、（１つまたは複数の）追加のキャリアはまた、フレキシビリティを高め、ネットワーク事業者の負荷問題（loading problems）を低減することができる。しかしながら、増加したＡＴ処理要件および他の考慮事項により、マルチキャリアシステムも、いくつかの欠点を有することがある。
【００２７】
一般に、第２のキャリアを利用することが、フィードバック制御チャネル中のオーバーヘッドをかなり増加させることがある。ＡＴが著しい経路損失を受け、頻繁なアップリンクパケットフィードバックを必要とする場合、この問題は悪化する。さらに、第２のキャリアは、同時に２つのキャリアを利用することに関与する増加した処理および送信の結果として、ＡＴバッテリ寿命に悪影響を及ぼすことがある。
【００２８】
これらの問題を緩和するために、本開示は、経路損失などのワイヤレスチャネル状態を分析し、追加のキャリア（たとえば、マルチキャリア割振りにおける非アンカーキャリア）上のＡＴアクティビティを動的に管理するための機構を提供する。したがって、ネットワークは、低い経路損失状態にある第２のキャリア上のＡＴアクティビティを高める（たとえば、チャネルフィードバックを活動化する）、または高い経路損失状態にある第２のキャリア上のＡＴアクティビティを減少させる（たとえば、チャネルフィードバックを非活動化する）ことができる。別の例として、第２のキャリアを、高データレートトラフィックの場合、活動化し、低データレートトラフィックの場合、非活動化することができる。
【００２９】
本開示のいくつかの態様では、ネットワーク構成要素（たとえば、無線ネットワークコントローラ、つまりＲＮＣ）が、（１つまたは複数の）追加のキャリアをＡＴに割り振るために、レイヤ３プロトコルを採用することができる。レイヤ３プロトコルメッセージがＡＴに送信され、メッセージを受信すると、ＡＴは追加のキャリアをアンカーキャリアと統合する。さらなる態様によれば、ネットワークは、ＡＴの第２のキャリア使用量を動的に管理するために、下位レイヤシグナリングを採用することができる。一例として、マルチキャリア利用に関係する明示的コマンドのために、共有制御チャネル（ＳＣＣＨ）または高速ＳＣＣＨ（ＨＳ−ＳＣＣＨ）オーダーを確保することができる。別の例として、マルチキャリア利用のための暗示的コマンドを送信する際に、不連続送信（ＤＴＸ）または不連続受信（ＤＲＸ）論理を採用することができる。ネットワークは、コマンドを無線でＡＴに搬送し、ＡＴは、コマンドを受信または実施すると応答する。適切な場合、ネットワークは、パケット損失の影響を緩和するために繰返しコマンド送信を採用することができる。代替的に、または追加として、ＡＴは、ネットワークとＡＴとの間の効率的な対話のために、下位レイヤマルチキャリア利用コマンドに肯定応答（ＡＣＫ）、または否定応答（ＮＡＣＫ）することができる。
【００３０】
ＨＳ−ＳＣＣＨコマンドを、各送信時間間隔（ＴＴＩ）で、またはＴＴＩのセットにわたって送信し、（たとえば、コマンドをＡＴに関連する固有の識別子と符号化することによって）個々のＡＴに向けることができる。したがって、（１つまたは複数の）追加のキャリア（たとえば、非アンカーキャリア）を活動化または非活動化するように、（１つまたは複数の）追加のキャリア上のフィードバックまたは（１つまたは複数の）追加のキャリアのためのパイロット／制御チャネル復号を活動化、または非活動化するようになど、ＡＴに迅速に命令することができる。さらに、活動化／非活動化は、チャネル状態の変化に応答することができる。したがって、マルチキャリア利用のバッテリ寿命およびオーバーヘッドへの影響は、非アンカーキャリアの高速管理によってかなり改善することができる。
【００３１】
キャリアを活動化または非活動化すると、ＡＴは、チャネルフィードバック情報（たとえば、ＣＱＩまたはパケットＡＣＫ／ＮＡＣＫデータ）をサービングワイヤレスネットワークに提出するために採用されるアップリンクフィードバックチャネルを変更することができる。活動化／非活動化コマンドを受信した後、ＡＴによって採用されるキャリアの新しいセットに基づいて更新フィードバックチャネルが選択される。さらに、ＡＴは、適切な場合、更新フィードバックチャネルに一致する、（たとえば、ＣＱＩまたはＡＣＫ／ＮＡＣＫ情報を提出するのに適した）新しい高速専用物理制御チャネル（ＨＳ−ＤＰＣＣＨ）フィードバック符号化フォーマットをさらに採用することができる。符号化フォーマットは、ダウンリンクチャネルのＣＱＩ測定値、またはサービングワイヤレスネットワークによって送信されたダウンリンクパケットのためのＡＣＫ／ＮＡＣＫ応答のために利用される。更新フィードバックチャネルまたは新しい符号化フォーマットを選択した後、それぞれフィードバックチャネルの新しいセットまたは符号化フォーマットの新しいセットが、ＡＴにサービスしている基地局に提出される。したがって、次いで、基地局は、ＡＴによって提出されるチャネルの新しいセットまたはキャリアのセットに関係する、フィードバック情報を取得および復号するために、（１つまたは複数の）新しいチャネルを監視し、（１つまたは複数の）新しい復号フォーマットを採用することができる。
【００３２】
次に図を参照すると、図１は、マルチキャリアワイヤレス通信環境における高速キャリア割振りを行う例示的なシステム１００のブロック図を示している。本開示のいくつかの態様では、ネットワークの時間的に変化する状態に基づいて、非アンカーキャリアとのＡＴ対話をシステム１００によって動的に制御することができる。本開示の少なくとも１つの態様では、トラフィック要件、ネットワーク負荷などに基づいて非アンカーキャリアを割り振る、または割振り解除するために、上位レイヤシグナリングを採用することができる。代替的に、または追加として、マルチキャリア最適化のために下位レイヤシグナリングを採用し、非アンカーキャリアリソースの効率的なネットワーク向け利用を行うことができる。したがって、システム１００は、ネットワーク内の端末における処理オーバーヘッドおよび電力消費を緩和しながら、マルチキャリアシステムのより高いスループット、データレートおよびフレキシビリティを達成することができる。
【００３３】
システム１００はマルチキャリア管理装置１０２を備える。装置１０２は、ワイヤレス通信ネットワーク中のユーザ機器（ＵＥ）に割り振られたキャリア周波数の動的制御用に構成されたモジュール（１０６、１１０、１１２）のセットを実行するデータプロセッサを備えることができる。詳細には、モジュール（１０６、１１０、１１２）のセットはインターフェースモジュール１０６を備えることができる。インターフェースモジュール１０６は、ネットワーク構成要素またはワイヤレス端末と情報を交換するために、有線またはワイヤレス通信媒体（たとえば、送信機１１８、または有線ネットワークインターフェース、図示せず）を利用する、またはそれにアクセスするように構成される。詳細には、インターフェースモジュール１０６は、マルチキャリア管理装置１０２によってサービスされるＵＥへのマルチキャリア割当ての通知１０８を取得することができる。
【００３４】
上記の一例として、インターフェースモジュール１０６は、適切な有線またはワイヤレスネットワーク接続を介して無線ネットワークコントローラ（ＲＮＣ）と結合できる。したがって、たとえば、装置１０２は、イーサネット（登録商標）接続、デジタル加入者回線（ＤＳＬ）接続、同軸ケーブル接続（ケーブル）、イントラネットまたはインターネットなどの中間ネットワーク、またはＷｉＦｉ接続、あるいはＲＮＣにインターフェースするためのそれらの適切な組合せなどを採用することができる。ＲＮＣは、マルチキャリア割振り通知１０８をインターフェースモジュール１０６に与えるために有線またはワイヤレス接続を採用することができる。
【００３５】
別の例として、インターフェースモジュール１０６はトランシーバ１１８と通信可能に結合できる。トランシーバ１１８は、マルチキャリア管理装置１０２によってサービスされるＵＥとワイヤレスに結合される。したがって、ネットワークＲＮＣからマルチキャリア割当てを受信すると、ＵＥは、インターフェースモジュール１０６において取得される、割振りの通知１０８をトランシーバ１１８に送信することができる。
【００３６】
上述のように、割振り通知１０８を、ネットワーク構成要素によって生成し、インターフェースモジュール１０６にフォワーディングする、またはＵＥを通してルーティングし（またはＵＥによって生成し）、トランシーバ１１８に送信することができる。割振り通知１０８は、ＵＥを識別することができ、ならびにＵＥに割り当てられたアンカーキャリアおよび非アンカーキャリアを識別することができる。さらに、少なくとも本開示のいくつかの態様では、割振り通知１０８は、ＵＥに非アンカーキャリアを割り振るまたは割振り解除するための状態（たとえば、トラフィック要件）を識別することができる。
【００３７】
インターフェースモジュール１０６において割振り通知１０８を受信すると、データプロセッサ１０４は、分析モジュール１１０を実行して、ＵＥに関係するワイヤレス状態を測定する。代替的に、または追加として、その状態は、マルチキャリア割当ての効率に関係するとすることができる。いくつかの態様では、状態は、経路損失、スループット、データレートなど、ワイヤレスチャネルの品質または効率測定値を備えることができる。他の態様では、状態は、ワイヤレスアクセスネットワークの負荷パラメータを備えることができる。さらに他の態様では、ワイヤレス状態の測定値を取得するために上記の基準の組合せ、または同様の基準を採用することができる。
【００３８】
測定値が取得されると、データプロセッサ１０４は、マルチキャリア管理装置１０２によってサービスされるＵＥのための管理オーダー１１６を生成するために制御モジュール１１２を実行することができる。詳細には、管理オーダー１１６は、マルチキャリア割振りの一部としてＵＥに割り当てられる非アンカーキャリアに関係することができる。制御モジュール１１２は、管理オーダー１１６を、分析モジュール１１０によって与えられたチャネルまたはネットワーク測定値に基づけることができる。したがって、チャネル／ネットワーク測定値がネットワークにおけるトラフィック負荷の増加、またはＵＥについての経路損失の増加を示唆する場合、コマンド１１６は、ＵＥに以前に割り振られた非アンカーキャリアを解放または非活動化するようにＵＥに命令することができる。逆に、チャネル／ネットワーク測定値が軽度または中程度の負荷、あるいはＵＥについての低い経路損失状態を示す場合、コマンド１１６は、非アンカーキャリアを保持または再活動化させるようにＵＥに命令することができる。
【００３９】
本開示のいくつかの態様では、マルチキャリア管理オーダー１１６は、ＨＳ−ＳＣＣＨシグナリングを利用する物理レイヤコマンドを備えることができる。さらに、ＴＴＩごとの頻度で（あるいは、適切により多いまたはより少ない頻度で）、ＨＳ−ＳＣＣＨオーダーを制御モジュール１１２によって生成することができる。高速シグナリングのオーバーヘッドがよく制御されるという点で、ＨＳ−ＳＣＣＨオーダーは有益である。さらに、ＨＳ−ＳＣＣＨ信号は、その信号を固有のＵＥ識別子（たとえば、１６ビットＩＤ）と符号化することによって、特定のＵＥにユニキャストできる。ＨＳ−ＳＣＣＨオーダーは、ＵＥに関連するアンカーキャリア上で、または、代替的に、ＵＥが非アンカーキャリアの制御チャネルをアクティブに監視している場合、非アンカーキャリア上で送信できる。
【００４０】
上記を説明する一例として、（たとえば、アンカーキャリアに加えて）ＵＥへの追加のキャリアの割振りのために、ＨＳ−ＳＣＣＨオーダーのセットを確保することができる。たとえば、オーダーのセットは、活動化オーダーおよび非活動化オーダーを備えることができる。本開示の少なくともいくつかの態様では、他のコマンドのために、追加のオーダーを確保することができる。たとえば、追加のキャリア上のチャネルフィードバック（たとえば、ＣＱＩ、ＡＣＫ／ＮＡＣＫ情報、スケジュール情報［ＳＩ］など）を活動化または非活動化するために、ＨＳ−ＳＣＣＨオーダーのペアを確保することができる。別の例として、追加のキャリア上のパイロットおよび制御チャネル信号を活動化または非活動化するようにＵＥに命令するコマンドのために、ＨＳ−ＳＣＣＨオーダーのペアを確保することができる。他の例では、上記または同様のコマンドの組合せを実装することができる。
【００４１】
上記を説明する特定の例として、追加のキャリアを非活動化すること、およびそうするための方法をＵＥに命令するように、ＨＳ−ＳＣＣＨオーダーのセットを構成することができる。バッテリ消費がＵＥにおいて指定された目標になった場合、ＨＳ−ＳＣＣＨオーダーのサブセットは追加のキャリアを完全に解放するようにＵＥに命令し、そのキャリア上のすべてのオーバーヘッドを終了することができる。さもなければ、有効なバッテリ消費目標が識別されていない場合、オーダーのサブセットは代替的に、追加のキャリア上の非パイロットおよび非制御信号を無視するようにＵＥに命令し、オーバーヘッドを低減するが、そのキャリアの何らかの利用を維持することができる。同様に、ＵＥまたはサービングワイヤレスアクセスネットワークの電力消費または処理オーバーヘッド目標に応じて、追加のキャリア上のダウンリンクシグナリングを単に監視することによって、あるいはそのキャリア上のダウンリンクシグナリングを監視することと、フィードバックを与えることの両方によって、追加のキャリアを活動化するようにＵＥに命令するように、ＨＳ−ＳＣＣＨオーダーのサブセットを構成することができる。
【００４２】
以下は、上述のように、追加のキャリア（この例では二次キャリアと呼ばれるが、追加のキャリアの数は１に限定されない）を有効にするための上位レイヤオーダー（たとえば、レイヤ２またはレイヤ３オーダー）と、（１つまたは複数の）追加のキャリアを迅速に活動化または非活動化するための下位レイヤオーダー（たとえば、レイヤ２または物理レイヤオーダー）との両方を利用するマルチキャリア制御を示す別の例である。この特定の例は、主キャリア上でＵＥを構成するために、高速ダウンリンク共有チャネル（ＨＳ−ＤＳＣＨ）データのスケジューリングおよびトランスポートのためのレイヤ２シグナリング（たとえば、媒体アクセス制御（ＭＡＣ）レイヤシグナリング）を採用する（たとえば、その全体が参照により本明細書に明確に組み込まれる、第３世代パートナーシッププロジェクト［３ＧＰＰ］ＴＳ２５．２１４バージョン８．４０、セクション６Ａを参照）。（たとえば、副ＨＳ−ＤＳＣＨサービングセルによってサポートされる）副キャリアの場合、オーダーのセットは、次のように確立される。
【００４３】
Ｓｅｃｏｎｄａｒｙ＿Ｃｅｌｌ＿Ｅｎａｂｌｅｄ（値０／１）−上位レイヤプロトコルがＵＥに対して副キャリアの使用を有効にしたかどうかを示す。
【００４４】
Ｓｅｃｏｎｄａｒｙ＿Ｃｅｌｌ＿Ａｃｔｉｖｅ（値０／１）−下位レイヤプロトコルがＵＥに対して副キャリアを活動化したか、または非活動化したかを示す。
【００４５】
上記のオーダーに基づいて、ＵＥが副ＨＳ−ＤＳＣＨセル上の副サービングキャリアで構成された場合、Ｓｅｃｏｎｄａｒｙ＿Ｃｅｌｌ＿Ｅｎａｂｌｅｄは１であり、他の場合は、Ｓｅｃｏｎｄａｒｙ＿Ｃｅｌｌ＿Ｅｎａｂｌｅｄは０、およびＳｅｃｏｎｄａｒ＿Ｃｅｌｌ＿Ａｃｔｉｖｅは０である。Ｓｅｃｏｎｄａｒｙ＿Ｃｅｌｌ＿Ｅｎａｂｌｅｄを１に設定するオーダーがＵＥに送信されたとき、副キャリアはＵＥによって活動化される。有効にされると、Ｓｅｃｏｎｄａｒｙ＿Ｃｅｌｌ＿Ａｃｔｉｖｅをそれぞれ１または０に設定するオーダーを発行することによって、副キャリアが活動化されるまたは副キャリアを非活動化するオーダーをＵＥに送信することができる。本開示のいくつかの態様によれば、ＵＥは、オーダーを配信するＨＳ−ＳＣＣＨサブフレームの終了後に副キャリアを活動化または非活動化するための指定された時間期間（たとえば、１２タイムスロットなど、所定数のタイムスロット）が与えられる。
【００４６】
ＵＥの観点からの上記の例を続けるために、Ｓｅｃｏｎｄａｒｙ＿Ｃｅｌｌ＿Ａｃｔｉｖｅが１に設定されている場合、ＵＥは、副サービングＨＳ−ＤＳＣＨセル中のＨＳ−ＳＣＣＨセットを監視し、副セルにおいてスケジュールされたＨＳ−ＤＳＣＨシグナリングを受信することができる。副サービングＨＳ−ＤＳＣＨセル中のＨＳ−ＳＣＣＨセットの最大サイズを、所定の数（たとえば、４）にセットすることができ、サービングＨＳ−ＤＳＣＨセルと副サービングＨＳ−ＤＳＣＨセルの両方にわたってＵＥによって監視されるＨＳ−ＳＣＣＨ信号の最大数は、サービングセルオーダーおよび副セルオーダーの数の組合せ（たとえば、６）である。上記に加えて、ＵＥは、サービングＨＳ−ＤＳＣＨセルからの最高１つのＨＳ−ＤＳＣＨまたはＨＳ−ＳＣＣＨオーダーと、副サービングＨＳ−ＤＳＣＨセルからの最高１つのＨＳ−ＤＳＣＨまたはＨＳ−ＳＣＣＨオーダーとを同時に受信することが可能である。いくつかの態様では、ＨＳ−ＤＳＣＨ送信におけるシグナリングのタイプもまた、限定することができる。たとえば、ＨＳ−ＤＳＣＨ送信は、ＨＳ−ＳＣＣＨシグナリング以外の送信を利用することを制限されることがある。
【００４７】
副キャリアを有効にし、副キャリアを活動化または非活動化するために、ＨＳ−ＤＳＣＨ上の様々な例示的なビットマッピングを採用することができる。たとえば、上位レイヤシグナリング（たとえば、レイヤ３またはレイヤ２シグナリング）を介して副キャリアを有効および無効にするために、２ビットを確保することができる。さらに、下位レイヤシグナリング（たとえば、物理レイヤシグナリング）上で副キャリアを活動化または非活動化するために、１ビットを確保することができる。一例として、その全体が参照により本明細書に明確に組み込まれる、３ＧＰＰ  ＴＳ  ２５．２１２バージョン８．４．０、４．６Ｃ．２．１、および詳細には４．６Ｃ．２．２．１および４．６Ｃ．２．２．２を参照されたい。ただし、本開示および添付の特許請求の範囲がそのように限定されないことを諒解されたい。
【００４８】
本開示の少なくとも１つの例では、割り当てられた非アンカーキャリアを活動化／非活動化するようにＵＥに命令するコマンドは、ＤＴＸまたはＤＲＸ論理のレイヤ２ＭＡＣ処理を介して実施できる（たとえば、３ＧＰＰ  ＴＳ  ２５．２１４バージョン８．４．０、セクション６Ｃを参照）。たとえば、ＤＴＸ／ＤＲＸコマンドは、アクティビティのためのワイヤレス信号のサブフレームを監視するようにＵＥに命令することができる。それらのサブフレーム中で、随意に一定数のサブフレームにわたって、アクティビティが行われる場合、それに応答してアクションをとるようにＵＥを構成することができる。それらのサブフレーム中で、一定数のサブフレームにわたって、アクティビティが行われない場合、別のアクションをとることができる。さらに、サブフレームの第２の期間内にアクティビティが行われない場合、第３のアクションをとることができ、以下同様である。したがって、検出されたアクティビティに基づいて、ＵＥは、（たとえば、上位レイヤプロトコルによってＵＥに以前に割り振られた）副キャリアを活動化することができる。サブフレームの第１の数内でアクティビティが行われない場合、チャネルフィードバック（たとえば、ＣＱＩ、ＡＣＫ／ＮＡＣＫ、ＳＩ）をオフにするようにＵＥを構成することができる。サブフレームの第２の期間内でアクティビティが行われない場合、副キャリア上のパイロットチャネルまたは制御チャネル処理を終了するようにＵＥを構成することができる。上記は、ＵＥのための追加のキャリアを管理するための暗示的下位レイヤシグナリングコマンドを与えるために採用できるＤＴＸ／ＤＲＸ論理の一例にすぎないことを諒解されたい。しかしながら、本開示および添付の特許請求の範囲は、そのように限定されない。
【００４９】
図２を参照すると、ワイヤレス通信においてマルチキャリア周波数を実装するための例示的なシステム２００のブロック図が示されている。システム２００は、デフォルト通信チャネルとして、ワイヤレスネットワークのアンカーキャリアを採用することができる。チャネルトラフィック要件、システム処理要件、ネットワーク負荷などに基づいて、ワイヤレスネットワークによって副キャリアをシステム２００に割り当てることができる。その後、マルチキャリア通信を最適化するための副キャリアの制御を、高速下位レイヤシグナリングコマンドによって実施することができる。したがって、高需要トラフィックのためのスループットおよびデータレートを最適化し、非アクティビティの期間中の電力消費を低減するように、システム２００を効率的に制御することができる。
【００５０】
システム２００は、アクセス端末（ＡＴ）２０２を備える。ＡＴ２０２は、情報を送信および受信するための通信インターフェース２０４を備える。詳細には、通信インターフェース２０４は、ワイヤレスデータを送信および受信するための、ワイヤレス通信アンテナおよびトランシーバを備えることができる。さらに、通信インターフェース２０４は、（ワイヤレス周波数スペクトル中の連続する、または不連続の）複数のキャリア周波数上で受信される信号を同時に監視するための受信機のセットを備えることができる。さらに、通信インターフェース２０４は、同時にアップリンクチャネル上で複数の信号を送信するための送信機のセットを備えることができる。この構成は、ＡＴ２０２が、増加したスループットおよびトラフィックパフォーマンスのために複数のキャリアを同時に採用することを可能にする。
【００５１】
動作中、ＡＴ２０２は、マルチキャリア動作を有効にするレイヤ３シグナリングコマンド、およびマルチキャリア動作の動的な、リアルタイムまたはほぼリアルタイムの管理を提供するレイヤ２または物理レイヤオーダーを取得する。データプロセッサ２０８は、受信信号を分析し、マルチキャリア管理を実施するための（たとえば、メモリ２１２に記憶された）マルチキャリアモジュール２１０のセットを実行することができる。ＡＴ２０２のための非アンカーキャリアを有効または無効にし、ならびにワイヤレスネットワークから受信されたコマンドに基づいて非アンカーキャリアを活動化および非活動化するように、モジュール２１０を構成することができる。詳細には、マルチキャリアモジュール２１０は、少なくともＴＴＩごとに１回キャリアを活動化／非活動化し、（たとえば、パケット損失、トラフィック需要、電力消費要件などに基づく）ネットワークコマンドに応答した高速管理を可能にする。
【００５２】
本開示のいくつかの態様では、キャリア活動化／非活動化はティア機能（tiered functionality）を備えることができる。たとえば、（たとえば、第１ティアＨＳ−ＳＣＣＨコマンドと相関される）活動化の第１ティアにおいて、マルチキャリアモジュール２１０の１つは、データプロセッサ２０８に、非アンカーキャリア上のパイロット信号、同期信号、または制御チャネルトラフィックを分析させることができる。第２ティアにおいて、モジュール（２１０）は、データプロセッサに、非アンカーキャリア上のチャネルフィードバックを実施させることができる。活動化のさらに他のティアにおいて、モジュール（２１０）は、データプロセッサに、アップリンクトラフィックサービスのための非アンカーチャネルを採用させることなどができる。キャリアの非活動化は、逆ティアにおいて実施できる。たとえば、ティアコマンドは、データプロセッサに、非アンカーキャリア上のアップリンクデータの送信を止めさせ、非アンカーキャリアに関係するフィードバックの送信を止めさせ、次いで、そのようなキャリアのパイロット／同期／制御チャネルの監視を止めさせることができる。上述のように、様々なティアコマンドを、ＨＳ−ＳＣＣＨオーダー、ＤＴＸ／ＤＲＸ論理オーダーなどとして確保することができる。
【００５３】
ティア活動化／非活動化（tiered activation/deactivation）を採用することによって、システム２００は、第２のキャリア上で実行されるアクティビティの量を微調整することができる。したがって、第２のキャリア上のアクティビティをゆっくり縮小することによって、たとえば、バースト的なトラフィック、または経路損失の改善に対処するために、そのキャリアの完全再活動化を迅速に実施することができる。別の恩恵として、電力消費とキャリアアクティビティとの異なる比率を達成し、フレキシブルなワイヤレス通信をもたらすことができる。ただし、本開示および添付の特許請求の範囲は、ティア活動化／非活動化の上記の例に限定されないことを諒解されたい。そうではなく、活動化／非活動化のより多くのティア、またはより少ないティア（たとえば、コマンドの単一のペアを介して完全活動化／非活動化を提供するシングルティア）のいずれかを有する様々な他の例が企図される。
【００５４】
図３に、本開示の追加の態様による、例示的なシステム３００のブロック図を示す。詳細には、システム３００は、ワイヤレス端末のためのネットワークで管理されたマルチキャリア通信を実施することができる。さらに、マルチキャリア通信は、ＴＴＩごとの速さで非アンカーキャリアを活動化または非活動化し、迅速なキャリア制御を行うことができる。さらに、管理された通信は、ＡＴ３０４によって与えられたフィードバックに基づくことができる。したがって、アクセスポイント３０２は、ＡＴ３０４によって報告されたチャネル状態に合わせたコマンドを送信し、それらのコマンドを実施することによって、時間的に変化するワイヤレス状態へのかなりの適応性を達成することができる。
【００５５】
ワイヤレスアクセスポイント３０２は、マルチキャリアコマンド３０６を送信する。マルチキャリアコマンド３０６は、ＡＴ３０４への高速転送のための物理レイヤシグナリングプロトコルを介して送信できる。コマンド３０６は、ＡＴ３０４によって実施するための命令を備えることができる。詳細には、そのような命令は、ＡＴ３０４に割り振られた副キャリアのための活動化／非活動化コマンドを備えることができる。さらに、命令は、副キャリアに関係する、パイロット信号監視／無視コマンド、または制御チャネル監視／無視コマンドを備えることができる。その上、コマンド３０６は、フィードバックに応じて（その関数として）ＡＴ３０４のためのキャリア管理をカスタマイズするために、非アンカーキャリアに関係するワイヤレスチャネルフィードバックを送信するようにＡＴ３０４に命令するための、フィードバック活動化／非活動化コマンドを備えることができる。
【００５６】
ＡＴ３０４は、マルチキャリアコマンド３０６を受信し、その中に含まれる命令を実施する。詳細には、フィードバック活動化コマンドに応答して、ＡＴ３０４は、（１つまたは複数の）副キャリアのチャネル特性を測定し、測定の結果をサービングネットワークに提出することができる。測定されるチャネル特性は、パケット損失、干渉、マルチパス散乱などを含むことができる。さらに、ＡＴ３０４は、（１つまたは複数の）副キャリア上のパケット送信に肯定応答／否定応答すること、ＳＩデータを提供することなどを行うことができる。ＡＴ３０４によって生成されたフィードバックは、フィードバックメッセージ３０８中に含まれ、ＡＴ３０４によってワイヤレスアクセスポイント３０２に送信される。フィードバックメッセージ３０８中に含まれるフィードバックデータに基づいて、ワイヤレスアクセスポイント３０２と結合されたネットワーク構成要素（たとえば、マルチキャリア管理装置、図１の１０２を参照）は、ＡＴ３０４に影響を及ぼす現在のチャネル特性のための後続のマルチキャリアコマンドを構成することができる。さらに、本明細書で説明するように、後続のコマンドは、現在のトラフィックスループット要件、サービス品質（ＱｏＳ）要件、またはネットワーク負荷に基づくことができる。
【００５７】
図４に、ワイヤレスネットワーク中の端末のためのマルチキャリア管理を提供する、例示的なシステム４００のブロック図を示す。システム４００は、ワイヤレスネットワーク内のワイヤレスチャネル状態に基づいて、キャリア割振りおよび活動化を管理することができる。さらに、システム４００は、ワイヤレスネットワークリソースの効率的な割振りを行うために、ネットワーク負荷に基づいてキャリア活動化を管理することもできる。
【００５８】
システム４００は、ワイヤレスネットワークの端末４０６、４０８のためのキャリア活動化／非活動化コマンドを生成するための、マルチキャリア管理装置４０２を備える。詳細には、装置４０２は、非アンカーキャリアの高速活動化および非活動化のためのＨＳ−ＳＣＣＨオーダーを生成する物理制御モジュール４１０を採用することができる。オーダーは、装置４０２と結合されたトランシーバ４０４によって、１つまたは複数の非アンカーキャリアを割り振られたＡＴ４０６に送信される。
【００５９】
本明細書で説明するように、マルチキャリアオーダーの選択は、ネットワーク状態に応じる（関数とする）ことができる。本開示のいくつかの態様では、ネットワーク状態は、ＡＴ４０６、４０８によってアップロードされたデータからフィードバックモジュール４１２によって抽出されたアンカーキャリア、または非アンカーキャリアの特性とすることができる。フィードバックモジュール４１２は、チャネル分析モジュール４１６による評価のための特性（たとえば、経路損失、干渉、散乱）を与える。ワイヤレスキャリア特性に基づいて、チャネル分析モジュール４１６は、ＡＴ４０６が非アンカーキャリアを活動化すべきか、または非活動化すべきか、非アンカーキャリア上で送信されたパケットに肯定応答すべきか、または否定応答すべきかなどを判断する。その判断に一致するマルチキャリアコマンドをＡＴ４０６に発行するために、その判断がマルチキャリア分析装置４０２に与えられる。
【００６０】
本開示の他の態様では、ネットワーク状態は、１つまたは複数のワイヤレスネットワークチャネル上の現在の負荷を備えることができる。そのような場合、ネットワーク負荷を評価するために、マルチキャリア管理装置４０２によってローディングモジュール４１４を採用することができる。詳細には、ローディングモジュール４１４は、ダウンリンク負荷を確定するために、１つまたは複数のキャリア上の電力またはコード使用量を採用することができる。代替的に、または追加として、ローディングモジュール４１４は、アップリンク負荷を確定するために、ライズオーバサーマル（ＲｏＴ）情報を採用することができる。確定されたネットワーク負荷に基づいて、ローディングモジュール４１４は、マルチキャリア装置４０２によってサービスされるＡＴ４０６、４０８へのキャリアの適切な割振りを導き出すことができる。本明細書で説明するように、指定されたキャリアを活動化するようにＡＴ４０６、４０８に命令するオーダーを生成するために、割振りがマルチキャリア管理装置４０２に送信される。
【００６１】
本開示のさらなる態様によれば、ＡＴ４０６のためのマルチキャリア管理は、ＡＴ４０６のパフォーマンス目標に少なくとも部分的に基づくことができる。パフォーマンス目標を、ＡＴ４０６によってマルチキャリア装置４０２に与えるか、またはネットワークデータストア（図示せず、ただし以下の図５を参照）に記憶し、ＡＴ４０６またはそのユーザプロファイルに関連付けることができる。例示的なパフォーマンス目標は、ＡＴ電力消費、スループットまたはデータレートなどのＡＴトラフィックパフォーマンスなどを備えることができる。パフォーマンスモジュール４１８は、ＡＴの現在のトラフィック要件と比較して目標を評価する。目標を達成することが、（たとえば、バッテリ電力を保持するために）非アンカーキャリアを解放することを必要とする場合、パフォーマンスモジュール４１８は、マルチキャリア管理装置４０２に、キャリア非活動化オーダーを発行させ、そのオーダーをＡＴ４０６に提出させることができる。目標を達成することが、（たとえば、トラフィック要件を満たすために）非アンカーキャリアを活動化することを必要とする場合、パフォーマンスモジュール４１８は、マルチキャリア管理装置に、キャリア活動化オーダーを発行させ、そのオーダーをＡＴ４０６に提出させることができる。パフォーマンスモジュール４１８を、（たとえば、フィードバックモジュール４１２によって抽出された）ＡＴ４０６におけるパフォーマンス目標および現在の状態に基づいて競合要件のバランスをとるようにさらに構成することができる。一例として、トラフィック要件が高いスループットを要求し、ＡＴ４０６の現在のバッテリ電力がしきい値レベルを下回る場合、パフォーマンスモジュール４１８は、トラフィック要件よりも電力消費を優先し、キャリア非活動化または解放オーダーをＡＴ４０６に送信することができる。ただし、本開示および添付の特許請求の範囲は、上記の例に限定されないことを諒解されたい。そうではなく、パフォーマンスモジュール４１８を、トラフィック要件とＡＴパフォーマンス目標との間の競合の他の例における優先順位を判断するように構成することができる。
【００６２】
図５に、ワイヤレス通信環境における高速ネットワークで管理されたマルチキャリア通信のための例示的なシステム５００のブロック図を示す。詳細には、システム５００は、基地局５０２によってサービスされる１つまたは複数のＡＴ５０４のためのマルチキャリア通信を管理するためのレイヤ２または物理レイヤコマンドを生成するように構成された、基地局５０２を備えることができる。さらに、コマンドは、ワイヤレスネットワークのための効率的なマルチキャリア動作およびキャリア割振りを行うために、ＡＴ５０４における優勢なワイヤレス状態、または現在のネットワーク負荷に基づいて生成できる。
【００６３】
基地局５０２（たとえば、アクセスポイント、．．．）は、１つまたは複数のＡＴ５０４から１つまたは複数の受信アンテナ５０６を介してワイヤレス信号を取得する受信機５１０と、変調器５３２によって与えられたコード化／被変調ワイヤレス信号を（１つまたは複数の）ＡＴ５０４に（１つまたは複数の）送信アンテナ５０８を介して送信する送信機５３４とを備えることができる。受信機５１０は、受信アンテナ５０６から情報を取得し、さらに、（１つまたは複数の）ＡＴ５０４によって送信されたアップリンクデータを受信する信号受信者（図示せず）を備えることができる。さらに、受信機５１０は、受信情報を復調する復調器５１２に動作可能に連結される。復調されたシンボルはデータプロセッサ５１４によって分析される。データプロセッサ５１４はメモリ５１６に結合され、このメモリ５１６は、基地局５０２によって提供または実施される機能に関係する情報を記憶する。一例では、記憶された情報は、効率的にキャリアを（１つまたは複数の）ＡＴ５０４に割り振るために、ネットワークチャネル特性またはネットワーク負荷を分析し、マルチキャリアコマンドを生成するためのルールまたはプロトコルを備えることができる。上記に加えて、データプロセッサ５１４を、チャネル特性またはネットワーク負荷に基づいてコマンドを生成するためのルール５４０を記憶するデータストア５３６に結合することができる。本開示の少なくとも１つの態様では、データストア５３４はさらに、（１つまたは複数の）ＡＴ５０４のためのパフォーマンス目標を記憶し、目標に応じてコマンドを生成することができる。
【００６４】
基地局５０２は、（１つまたは複数の）ＡＴ５０４によって採用されるワイヤレスチャネル状態（たとえば、ＲｏＴ、ネットワーク負荷）を分析する、または（たとえば、ＣＱＩまたはＳＩ送信を介して）（１つまたは複数の）ＡＴ５０４によって報告され、フィードバックモジュール５２４において受信されるワイヤレスチャネル状態を評価する分析モジュール５１８をさらに備えることができる。評価は、報告するＡＴ５０４に割り振られた１つまたは複数のキャリア上の経路損失、マルチパス散乱、干渉などを識別することを備えることができる。評価された状態は、（１つまたは複数の）ＡＴ５０４のためのキャリア管理オーダーを生成するためのマルチキャリア割振りルール５４０のセットを参照する制御モジュール５２０に提出される。詳細には、制御モジュール５２０は、最適なマルチキャリアパフォーマンスのためのしきい値スループット、データレート、または同様の状態を確定するために、チャネル分析モジュール５２８を採用することができる。チャネル分析モジュール５２８は、評価された状態の意味を判断し、割り振られた（１つまたは複数の）キャリアに対して（１つまたは複数の）ＡＴ５０４がとるべき適切なアクションを識別することができる。随意に、適切なアクションは、パフォーマンスモジュール５３０によって取得および分析され、データストア５３６に記憶された、ＡＴ５０４のパフォーマンス目標（５３８）を反映することができる。制御モジュール５２０は、識別されたアクションを実施するように（１つまたは複数の）ＡＴ５０４に命令する、ＨＳ−ＳＣＣＨオーダーまたはＤＴＸ／ＤＲＸオーダーを生成するために、物理プロトコルモジュール５２２を採用する。代替的に、または追加として、適切なアクションは、ローディングモジュール５２６によって判断された現在のネットワーク負荷に基づくことができる。たとえば、ネットワーク負荷が高い場合、オーダーは非アンカーキャリアを非活動化または解放するように（１つまたは複数の）ＡＴ５０４に命令し、基地局５０２がより多数のＡＴ（５０４）にサービスすることを可能にすることができる。逆に、ネットワーク負荷が中程度または低い場合、パフォーマンスを高めるために、オーダーは、非アンカーキャリアを活動化するように（１つまたは複数の）ＡＴ５０４に命令することができる。
【００６５】
図６に、本開示の態様による、ワイヤレス通信のために構成されたＡＴ６０２を備える例示的なシステムのブロック図を示す。ＡＴ６０２は、ワイヤレスネットワークの１つまたは複数の基地局６０４（たとえば、アクセスポイント）にワイヤレスに結合するように構成できる。そのような構成に基づいて、ＡＴ６０２は、順方向リンクチャネル上で基地局（５０４）からワイヤレス信号を受信し、逆方向リンクチャネル上でワイヤレス信号で応答することができる。さらに、ＡＴ６０２は、本明細書で説明するように、受信したワイヤレス信号を分析する、分析された信号からマルチキャリア管理オーダーを抽出する、それらの命令を実施するなどのための、メモリ６１４に記憶された命令を備えることができる。
【００６６】
ＡＴ６０２は、信号を受信する少なくとも１つのアンテナ６０６（たとえば、入力／出力インターフェースを備えるワイヤレス送信／受信インターフェース、またはそのようなインターフェースのグループ）と、受信信号に対して典型的なアクション（たとえば、フィルタ処理、増幅、ダウンコンバートなど）を実行する（１つまたは複数の）受信機６０８とを含む。一般に、アンテナ６０６および送信機６３０（トランシーバと総称される）は、（１つまたは複数の）基地局６０４とのワイヤレスデータ交換を可能にするように構成できる。
【００６７】
アンテナ６０６および（１つまたは複数の）受信機６０８はまた、受信シンボルを復調し、そのような信号を評価のために（１つまたは複数の）データプロセッサ６１２に供給することができる復調器６１０に結合できる。（１つまたは複数の）データプロセッサ６１２は、ＡＴ６０２の１つまたは複数の構成要素（６０６、６０８、６１０、６１４、６１６、６１８、６２０、６２２、６２４、６２６）を制御および／または参照することができることを諒解されたい。さらに、（１つまたは複数の）データプロセッサ６１２は、ＡＴ６０２の機能を実行することに関係する情報または制御権を備える１つまたは複数のモジュール、アプリケーション、エンジンなど（６１６、６１８、６２０、６２２、６２４、６２６）を実行することができる。たとえば、そのような機能は、本明細書で説明するように、複数のキャリアを活動化／非活動化すること、そのようなキャリアのパイロット、同期および制御チャネルを監視すること、キャリアに関係するチャネル分析またはパケット信頼性データを供給すること、またはキャリア上でトラフィックデータを受信することを含むことができる。
【００６８】
さらに、ＡＴ６０２のメモリ６１４は、（１つまたは複数の）データプロセッサ６１２に動作可能に結合される。メモリ６１４は、送信、受信などすべきデータと、リモートデバイス（６０４）とのワイヤレス通信を行うのに適した命令とを記憶することができる。詳細には、命令は、上記または本明細書の他の箇所に記述する様々な機能を実施するために利用できる。さらに、メモリ６１４は、上記の（１つまたは複数の）データプロセッサ６１２によって実行されるモジュール、アプリケーション、エンジンなど（６１６、６１８、６２０、６２２、６２４、６２６）を記憶することができる。
【００６９】
さらに、ＡＴ６０２は、ＡＴ６０２によって受信され、分析モジュール６２２によって復号された適切なマルチキャリアコマンドに応答して、ＡＴ６０２に割り振られた非アンカーキャリアを開始または非活動化するように構成された活動化モジュール６１６を備えることができる。活動化は、パイロット／制御チャネルを監視すること、キャリアに関係するＣＱＩ、ＳＩまたはＡＣＫ／ＮＡＣＫデータを供給するためにフィードバックモジュール６１８を採用すること、またはキャリア上でトラフィックを受信すること、あるいはそれらの組合せを備えることができる。さらに、非活動化は、キャリアに関係するチャネルまたはパケット報告を終了するためにフィードバックモジュール６１８を採用すること、またはキャリア上で送信されたトラフィックデータまたはパイロット／制御シグナリングを無視すること、あるいはそれらの組合せを備えることができる。
【００７０】
本開示の少なくとも１つの態様では、ＡＴ６０２によって受信されたマルチキャリアコマンドは、特定の時間期間の間実施できる。タイミングモジュール６２０が、データプロセッサ６１２によってそのようなコマンドが処理されている時間期間を追跡するためのカウンタを開始することができる。データプロセッサ６１２が時間期間内に後続のマルチキャリアコマンドを分析した場合、後続のコマンドを実施することができる。他の場合は、データプロセッサ６１２は、デフォルトのシングルキャリア状況に、または、タイマがセットされた、コマンドを受信するより前のマルチキャリア状況にＡＴ６０２を戻すことができる。後者の場合、データプロセッサ６１２は、前の状況を復元するために利用できる、前の状況情報をメモリ６１４に記憶することができる。
【００７１】
上記に加えて、ＡＴ６０２は、チャネル品質情報を基地局６０４に提出するように構成された報告モジュール６２４を備えることができる。ＡＴ６０２によって観測されたワイヤレスチャネル特性の現在の状況を示すＣＱＩ、ＳＩなどとして、チャネル品質情報を提出することができる。報告モジュール６２４は、周期的に、または基地局６０４からのフィードバックコマンドの受信時に、データ提出をトリガすることができる。
【００７２】
本開示の少なくとも１つの態様では、ＡＴ６０２は、マルチキャリア通信に関係するＡＴ６０２のための動作またはパフォーマンス目標を維持する管理モジュール６２６を備えることができる。動作／パフォーマンス目標は、ＡＴ６０２の動作パラメータのセットのための重要度階層を指定することができる。パラメータは、電力消費、バッテリ電力レベル、トラフィックスループットまたはデータレート、ワイヤレスチャネル品質などを含むことができる。さらに、重要度階層（importance hierarchy）は、パラメータ間の競合を生じるとき、どの動作パラメータを優先するか確定することができる。例示的な競合は、複数のキャリア上の高品質、高データレートトラフィックに関与しながら、バッテリ寿命を節約することを含むことができる。競合の解消は、重要度階層に少なくとも部分的に基づいて確定できる。たとえば、バッテリ寿命を優先する場合、トラフィックデータレートへの悪影響にもかかわらず、比較的低い最大しきい値で電力消費を維持することがある。本開示の少なくとも１つの態様では、１つまたは複数の状態に対して階層を実装することができ、またはＡＴ６０２の異なる動作状況について異なる重要度階層を確立することができる。たとえば、重要度階層は、バッテリ電力が少なくとも半分満たされているという状態に対して、トラフィックスループットが電力消費よりも高い優先順位を有すると指定することができる。同様に、ＡＴ６０２が（たとえば、外部電源に接続された）ＡＣ電力で動作しているときに第１の重要度階層を確定し、ＡＴ６０２がバッテリ電力で動作しているときに第２の重要度階層を確定することができる。しかしながら、本開示および添付の特許請求の範囲は、上記の例に限定されない。
【００７３】
管理モジュール６２６は、基地局６０２にパフォーマンス目標、重要度階層、またはＡＴ状況情報を伝達することができる。また、ＡＴ状況の変化、または１つまたは複数の重要度状態（たとえば、現在のバッテリ電力）に関係する動作特性を、基地局６０２に伝達することができる。したがって、基地局６０２は、指定された目標、状態、およびＡＴ６０２の状況に応じて、ＡＴ６０２におけるマルチキャリア通信を管理することができる。さらに、パフォーマンス／動作目標、重要度階層、状態またはＡＴ状況を、ＡＴ６０２のユーザインターフェース（図示せず）を通してユーザによって指定および更新することができる、あるいはメモリ６１４に記憶されたデフォルト設定とすることができることを諒解されたい。
【００７４】
上述のシステムについては、いくつかの構成要素、モジュールおよび／または通信インターフェースの間の相互作用に関して説明した。そのようなシステムおよび構成要素／モジュール／インターフェースは、本明細書で指定された構成要素もしくは下位構成要素、指定された構成要素もしくは下位構成要素の一部、および／または追加の構成要素を含むことができることを諒解されたい。たとえば、システムは、ＡＴ６０２、基地局５０２、データストア５３６、およびマルチキャリア管理装置１０２、またはこれらおよび他の構成要素の異なる組合せを含むことができる。下位構成要素は、親構成要素内に含まれるのではなく、他の構成要素に通信可能に結合された構成要素として実装することもできる。さらに、１つまたは複数の構成要素を組み合わせて、集約機能を提供する単一の構成要素にすることができることに留意されたい。たとえば、分析モジュール１１０は、ワイヤレスチャネル状態を分析し、単一の構成要素によってそれらの状態に基づいてマルチキャリアコマンドを生成することを可能にするために制御モジュール１１２を含むことができ、またその逆も同様である。構成要素はまた、特に本明細書に記載されていないが当業者に知られている１つまたは複数の他の構成要素と相互作用することができる。
【００７５】
さらに、諒解されるように、開示した上記のシステムおよび下記の方法の様々な部分は、人工知能、または知識ベースもしくはルールベースの構成要素、下位構成要素、プロセス、手段、方法、または機構（たとえば、サポートベクターマシン、ニューラルネットワーク、エキスパートシステム、ベイズの信念ネットワーク（Bayesian belief networks）、ファジィ論理、データ融合エンジン、クラシファイヤなど）を含むか、またはそれらからなることができる。そのような構成要素は、特に、および本明細書ですでに説明したものに加えて、システムおよび方法の部分をより適応的ならびに効率的で知的にするために、それによって実行されるいくつかの機構またはプロセスを自動化することができる。
【００７６】
上記で説明した例示的なシステムに鑑みて、開示する主題に従って実施できる方法は、図７〜図１０のフローチャートを参照すればより良く諒解されよう。説明を簡単にするために、方法を一連のブロックとして図示および説明したが、いくつかのブロックは本明細書で図示および説明したブロックとは異なる順序で、および／または他のブロックと同時に、行うことができるので、主張する主題はブロックの順序によって限定されないことを理解および諒解されたい。さらに、以下で説明する方法を実施するために、図示されたすべてのブロックが必要とされるわけではない。さらに、以下および本明細書の全体にわたって開示する方法は、そのような方法をコンピュータに移送および転送することを可能にする製造品に記憶することが可能であることをさらに諒解されたい。使用する製造品という用語は、任意のコンピュータ可読デバイス、キャリアに関連するデバイス、または記憶媒体からアクセス可能なコンピュータプログラムを包含するものとする。
【００７７】
図７に、ワイヤレス通信環境におけるキャリア管理のための例示的な方法７００のフローチャートを示す。７０２において、方法７００は、ワイヤレスネットワークにおいてＵＥのための複数の周波数キャリアの割当てを取得することができる。割当てを、ＲＮＣなど、ネットワーク構成要素によって送信する、またはＵＥによって送信することができる。さらに、上位レイヤシグナリングプロトコル命令（たとえば、レイヤ３プロトコル）を使用して、複数の周波数キャリアの割当てを処理することができる。
【００７８】
７０４において、方法７００は、ＵＥに関係する、またはワイヤレスネットワークに関係するワイヤレス状態を分析するために、データプロセッサを採用することができる。本開示のいくつかの態様では、ワイヤレス状態は、ワイヤレスチャネル品質またはパフォーマンス測定を備えることができる。そのような測定はＵＥによって行われ、チャネルフィードバック情報（たとえば、ＣＱＩ、ＳＩ、ＲｏＴ、ＡＣＫ／ＮＡＣＫなど）として提出できる。代替的に、ワイヤレス状態は、ネットワーク構成要素によって行われるネットワーク負荷測定を備えることができる。
【００７９】
７０６において、方法７００は、ＵＥのためのキャリアコマンドを生成するために、データプロセッサを採用することができる。キャリアコマンドは、管理オーダーを備え、マルチキャリア割当てによってＵＥに割り振られた非アンカーキャリアに対して、１つまたは複数のアクションをとるようにＵＥに命令することができる。さらに、キャリアコマンドは、下位レイヤシグナリングプロトコルに基づいて処理できる。一例では、キャリアコマンドは、ＤＴＸまたはＤＲＸ論理に基づいて処理できる。たとえば、非アンカーキャリアを活動化するようにＵＥに命令するコマンドは、ＤＴＸ／ＤＲＸサイクルのサブフレームの指定されたサブフレームまたは範囲内で送信できる。代替的に、または追加として、非アンカーキャリアを非活動化するようにＵＥに命令するコマンドは、ＤＴＸ／ＤＲＸサイクルのサブフレームの指定されたサブフレームまたは範囲内でシグナリングを控えることを備えることができる。別の例として、キャリアコマンドは、ＵＥによって行われる特定の非アンカーキャリアアクティビティに相関されるＨＳ−ＳＣＣＨ送信から構成される、物理レイヤオーダーを備えることができる。いずれの場合も、７０８において、方法７００は、キャリアコマンドをＵＥに搬送することができる。説明したように、方法７００は、高速下位レイヤシグナリングを採用することによって、ＵＥにおけるマルチキャリア構成の高速制御を可能にする。したがって、非アンカーキャリアの動的活動化／非活動化、チャネルフィードバックの活動化／非活動化などは、ＵＥによって観測された時間的に変化する状態に基づいて実施できる。
【００８０】
図８に、ワイヤレスネットワークにおいて、ＵＥのための、ネットワークで管理されたマルチキャリア構成を提供するための例示的な方法８００のフローチャートを示す。８０２において、本明細書で説明するように、方法８００は、ＵＥのためのマルチキャリア割当ての通知を取得することができる。８０４において、方法８００は、ＵＥに関係するか、またはＵＥにサービスしているネットワークに関係する記憶されたチャネルまたはネットワーク状態情報にアクセスすることができる。８０６において、記憶された情報の代わりに、またはそれに加えて、マルチキャリア管理のために追加のデータが必要かどうかに関して判断を行う。マルチキャリア管理を実装するために追加のデータが必要な場合、方法８００は８０８に進むことができ、他の場合、方法８００は８１２に進むことができる。
【００８１】
８０８において、方法８００はＵＥにフィードバックオーダーを発することができ、これにより追加情報を要求する。そのような情報は、たとえば、ＵＥに割り振られたチャネルキャリアに関係するワイヤレスチャネル特性を備えることができる。８１０において、方法８００は、チャネルまたはネットワークに関連するＵＥからのフィードバック情報を（たとえば、フィードバックデータを提出するためにＵＥによって採用されたアップリンクチャネル上で）取得することができる。８１２において、方法８００は、ＵＥのパフォーマンス目標を分析することができる。８１４において、方法８００は、少なくとも部分的にパフォーマンス目標に基づいて、ＵＥに適したアクティビティレベル（たとえば、処理オーバーヘッド、電力消費レベル）を判断することができる。さらに、８１６において、方法８００は、たとえばＱｏＳ要件、ならびに最適な、または所望の負荷しきい値と比較した現在のネットワーク負荷に基づいて、ＵＥに適したトラフィックまたはシグナリング要件を判断することができる。８１８において、方法８００は、マルチキャリア通信に関係する１つまたは複数のアクションをとるようにＵＥに命令する下位レイヤコマンドを生成し、物理レイヤシグナリングを介してコマンドをＵＥに送信することができる。８２０において、方法８００は、コマンドの受信／実装を検証するためにＵＥによって採用されたフィードバックチャネルを監視することができる。１つまたは複数のコマンドがＵＥによって否定応答された場合、方法８００はそれらのコマンドをＵＥに再送信することができる。代替的に、ＵＥにおけるフィードバックがマルチキャリアコマンドに対して無効化された場合、ＵＥにおける受信の可能性を高めるために、コマンド再送信のデフォルト回数を実装することができる。
【００８２】
図９に、ワイヤレスネットワークにおいてネットワークで管理されたマルチキャリア構成を利用するための例示的な方法９００のフローチャートを示す。９０２において、方法９００はワイヤレスネットワーク構成要素からマルチキャリア割当てを取得するためにワイヤレス通信インターフェースを採用することができる。マルチキャリア割当てが生成され、レイヤ３プロトコルなどの上位レイヤシグナリングプロトコルで送信され得るようになっている。さらに、９０４において、方法９００は、マルチキャリア割当てを管理することに関係する下位レイヤプロトコルメッセージを取得するために、通信インターフェースを採用することができる。下位レイヤプロトコルメッセージは、たとえば、ＤＴＸ／ＤＲＸサイクル送信またはＨＳ−ＳＣＣＨ送信とすることができる。９０６において、方法９００は、マルチキャリア割当てによって指定された非アンカーキャリアのためのコマンドを抽出するために、データプロセッサを採用することができる。本開示のいくつかの態様では、コマンドは、非アンカーキャリアに対する活動化／非活動化オーダーを含むことができる。他の態様では、コマンドは、フィードバック活動化／非活動化オーダーを含むことができる。オーダーは、ネットワークで管理されたマルチキャリア構成を可能にするために実装することができる。随意に、フィードバックが活動化されるかどうかに応じて、さらに効率的なワイヤレスシグナリングを可能にするために、コマンドの受信が肯定応答され得る。
【００８３】
図１０に、ワイヤレス環境におけるワイヤレス通信に関与するための例示的な方法１０００のフローチャートを示す。１００２において、方法１０００はワイヤレスネットワークにＵＥを登録することができる。１００４において、方法１０００は、随意に、マルチキャリアワイヤレス動作に従ってパフォーマンスおよび動作目標を提出することができる。１００６において、方法１０００は、マルチキャリアチャネルまたはチャネルのセットの割当てを取得することができる。１００８において、方法１０００は、マルチキャリアプロトコルに従って、割当てに応答して非アンカーキャリアを有効にすることができる。１０１０において、方法１０００は、少なくとも部分的に非アンカーキャリアに関係するチャネルフィードバックデータを提出することができる。１０１２において、方法１０００は、少なくとも部分的にフィードバックに基づいて、下位レイヤマルチキャリアオーダーを取得することができる。１０１４において、方法１０００は、随意に、パフォーマンスおよび動作目標に基づいて、オーダーを修正すべきかどうか、または従わないべきかどうかを判断することができる。この判断は、ワイヤレス環境内で動作しているＵＥの現在の状況に依存するか、あるいはＵＥによって観測された現在のチャネル状態またはＵＥの現在のトラフィック要件に基づくことができる。この判断に基づいて、オーダーは、そのまま実装されるか、変更されて実装されるか、または実装されないようにできる。随意に、コマンドを発しているネットワークに、コマンドの実装、変更または拒否を詳述する応答を送信することができる。
【００８４】
図１１および図１２に、本開示の態様による、高速マルチキャリア管理をワイヤレス通信環境中に実装するための例示的なシステム１１００、１２００のブロック図を示す。たとえば、システム１１００および１２００は、少なくとも部分的にワイヤレス通信ネットワーク内に、および／またはノード、基地局、アクセスポイント、ユーザ端末、モバイルインターフェースカードに結合されたパーソナルコンピュータなどの送信機内に、常駐することができる。システム１１００および１２００は機能ブロックを含むものとして表されており、その機能ブロックは、プロセッサ、ソフトウェア、またはそれらの組合せ（たとえば、ファームウェア）によって実装される機能を表す機能ブロックとすることができることを諒解されたい。
【００８５】
システム１１００は、ＵＥのためのマルチキャリア割当て通知を取得するためのモジュール１１０２を備えることができる。モジュール１１０２は、マルチキャリア割当てを担当するネットワーク構成要素に結合した、またはＵＥにワイヤレスに結合した有線またはワイヤレス通信インターフェースを備えることができる。さらに、システム１１００は、ＵＥまたはサービングワイヤレスネットワークに関係するワイヤレス状態を分析するためのモジュール１１０４を備えることができる。前者の場合、ワイヤレス状態は、チャネル品質、またはパケット損失、スループットまたはデータレートなどの性能特性を備えることができる。後者の場合、ワイヤレス状態は、ネットワーク負荷状態を備えることができる。上記に加えて、システム１１００は、分析ワイヤレス状態に基づいて、マルチキャリアＵＥコマンドを生成するためのモジュール１１０６を備えることができる。下位レイヤシグナリングを採用するためのモジュール１１０８は、実装のためのＵＥにコマンドを搬送するために利用できる。
【００８６】
システム１２００は、ワイヤレスネットワーク構成要素からマルチキャリア割当てを取得するためにワイヤレス通信インターフェースを採用するためのモジュール１２０２を備えることができる。この割当ては、システム１２００に割り当てられたアンカーキャリアに加えて、システム１２００に非アンカーキャリアを割り振ることができる。アンカーキャリアおよび非アンカーキャリアは、周波数が連続する必要はないことを諒解されたい。システム１２００は、下位レイヤシグナリングメッセージを取得するために通信インターフェースを採用するためのモジュール１２０４をさらに備えることができる。下位レイヤメッセージは、本明細書で説明するように、レイヤ２シグナリングプロトコルまたは物理レイヤプロトコルに従って構成または搬送できる。さらに、システム１２００は、マルチキャリア割当ての非アンカーキャリアに関係するコマンドを抽出するためにデータプロセッサを採用するためのモジュール１２０６を備えることができる。コマンドは、随意に、システム１２００によって提出されたチャネル状態に基づくことができる。代替的に、または追加として、コマンドはシステム１２００の動作またはパフォーマンス目標に基づくことができ、ワイヤレス通信に対するシステム１２００の所望の状況を可能にする。
【００８７】
図１３に、本明細書で開示するいくつかの態様による、ワイヤレス通信を可能にすることができる例示的なシステム１３００のブロック図を示す。ダウンリンク上で、アクセスポイント１３０５において、送信（ＴＸ）データプロセッサ１３１０は、トラフィックデータを受信、フォーマット、コーディング、インターリーブ、および変調（またはシンボルマッピング）し、変調シンボル（「データシンボル」）を供給する。シンボル変調器１３１５は、データシンボルおよびパイロットシンボルを受信し、処理し、シンボルのストリームを提供する。シンボル変調器１３２０は、データおよびパイロットシンボルを多重化し、それらを送信機ユニット（ＴＭＴＲ）１３２０に供給する。各送信シンボルは、データシンボル、パイロットシンボル、または信号値０とすることができる。パイロットシンボルを、各シンボル期間中に継続的に送信することができる。パイロットシンボルは、周波数分割多重（ＦＤＭ）、直交周波数分割多重（ＯＦＤＭ）、時分割多重（ＴＤＭ）、符号分割多重（ＣＤＭ）、あるいはそれらまたは同様の変調および／または送信技法の適切な組合せとすることができる。
【００８８】
ＴＭＴＲ１３２０は、シンボルのストリームを受信し、１つまたは複数のアナログ信号に変換し、アナログ信号をさらに調整（たとえば、は増幅、フィルタ処理、および周波数アップコンバート）し、ワイヤレスチャネル上での送信に好適なダウンリンク信号を生成する。次いで、ダウンリンク信号は、アンテナ１３２５を介して端末に送信される。端末１３３０において、アンテナ１３３５は、ダウンリンク信号を受信し、受信信号を受信機ユニット（ＲＣＶＲ）１３４０に供給する。受信機ユニット１３４０は、受信信号を調整（たとえば、フィルタリング、増幅、周波数ダウンコンバート）して、調整された信号をデジタル化し、サンプルを得る。シンボル復調器１３４５は、受信したパイロットシンボルを復調し、チャネル推定のためにプロセッサ１３５０に供給する。シンボル復調器１３４５は、プロセッサ１３５０からダウンリンクに関する周波数応答推定値をさらに受信し、受信データシンボルに対してデータ復調を実行して（送信データシンボルの推定値である）データシンボル推定値を得て、データシンボル推定値をＲＸデータプロセッサ１３５５に供給し、そのＲＸデータプロセッサ１３５５は、データシンボル推定値を復調（すなわち、シンボルデマッピング）、デインターリーブ、および復号して送信トラフィックデータを回復する。シンボル復調器１３４５およびＲＸデータプロセッサ１３５５による処理は、アクセスポイント１３０５における、それぞれ、シンボル変調器１３１５およびＴＸデータプロセッサ１３１０による処理と相補的である。
【００８９】
アップリンク上で、ＴＸデータプロセッサ１３６０が、トラフィックデータを処理し、データシンボルを供給する。シンボル変調器１３６５は、データシンボルを受信し、パイロットシンボルと多重化し、変調を実行し、シンボルのストリームを供給する。次いで、送信機ユニット１３７０は、シンボルのストリームを受信および処理して、アンテナ１３３５によってアクセスポイント１３０５に送信されるアップリンク信号を生成する。詳細には、アップリンク信号は、ＳＣ−ＦＤＭＡ要件に従うことができ、本明細書で説明する周波数ホッピング機構を含むことができる。
【００９０】
アクセスポイント１３０５において、端末１３３０からのアップリンク信号がアンテナ１３２５によって受信され、受信機ユニット１３７５によって処理されて、サンプルを得る。次いで、シンボル復調器１３８０が、それらのサンプルを処理し、アップリンクに関する受信パイロットシンボルおよびデータシンボル推定値を供給する。ＲＸデータプロセッサ１３８５は、データシンボル推定値を処理して、端末１３３０によって送信されたトラフィックデータを回復する。プロセッサ１３９０は、アップリンク上の各アクティブ端末送信に関してチャネル推定を実行する。複数の端末は、それぞれの割り当てられたパイロットサブバンドのセット上でアップリンクに同時にパイロットを送信することができ、パイロットサブバンドセットをインタレースすることができる。
【００９１】
プロセッサ１３９０および１３５０は、それぞれアクセスポイント１３０５および端末１３３０上の操作を指示（たとえば制御、調整、管理など）する。それぞれのプロセッサ１３９０および１３５０を、プログラムコードおよびデータを記憶するメモリユニット（図示せず）に関連付けることができる。プロセッサ１３９０および１３５０はまた、それぞれ、アップリンクとダウンリンクとに関して周波数推定値とインパルス応答推定値とを導き出すために計算を実行することができる。
【００９２】
多元接続システム（たとえば、ＳＣ−ＦＤＭＡ、ＦＤＭＡ、ＯＦＤＭＡ、ＣＤＭＡ、ＴＤＭＡなど）の場合、複数の端末がアップリンク上で同時に送信することができる。そのようなシステムの場合、パイロットサブバンドを異なる端末の間で共有することができる。各端末のためのパイロットサブバンドが（場合によっては、バンドエッジを除いて）動作帯域全体にわたる場合に、チャネル推定技術を使用することができる。そのようなパイロットサブバンド構造は、端末ごとに周波数ダイバーシチを得るために望ましい。本明細書で説明する技法は、様々な手段によって実装できる。たとえば、これらの技法はハードウェア、ソフトウェア、またはそれらの組合せで実装され得る。ハードウェア実装の場合、それはデジタル、アナログ、デジタルとアナログの両方とすることができ、チャネル推定に使用される処理ユニットは、１つまたは複数の特定用途向け集積回路（ＡＳＩＣ）、デジタル信号プロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、本明細書で説明する機能を実行するように設計された他の電子ユニット、またはそれらの組合せ内で実装できる。ソフトウェアでは、本明細書で説明する機能を実行するモジュール（たとえば、プロシージャ、関数など）によって実装することができる。ソフトウェアコードは、メモリユニットに記憶し、プロセッサ１３９０および１３５０によって実行できる。
【００９３】
図１４は、たとえば１つまたは複数の態様とともに使用できる、複数の基地局（ＢＳ）１４１０（たとえば、ワイヤレスアクセスポイント、ワイヤレス通信デバイス）および複数の端末１４２０（たとえば、ＡＴ）をもつワイヤレス通信システム１４００を示している。ＢＳ（１４１０）は、一般に、端末と通信する固定局であり、アクセスポイント、ノードＢ、または何らかの他の用語で呼ばれることもある。各ＢＳ（１４１０）は、図１４において１４０２ａ、１４０２ｂ、および１４０２ｃと標示された３つの地理的領域として示された、特定の地理的領域またはカバレージエリアの通信カバレージを提供する。「セル」という用語は、その用語が使用されるコンテキストに応じてＢＳまたはそのカバレージエリアを指すことができる。システム容量を改善するために、ＢＳの地理的領域／カバレージエリアは、複数のより小さいエリア（たとえば、図１４のセル１４０２ａによる、３つの、より小さいエリア）１４０４ａ、１４０４ｂ、および１４０４ｃに分割できる。各より小さい範囲（１４０４ａ、１４０４ｂ、１４０４ｃ）は、それぞれの基地トランシーバサブシステム（ＢＴＳ）によってサービスできる。「セクタ」という用語は、その用語が使用されるコンテキストに応じてＢＴＳまたはそのカバレージエリアを指すことができる。セクタ化されたセルの場合、そのセルの全セクタ用のＢＴＳは、典型的には、そのセルの基地局内にコロケートされる。本明細書で説明する伝送技術は、セクタ化されたセルをもつシステムならびにセクタ化されないセルをもつシステムに使用できる。簡単のために、本明細書では、別段の規定がない限り、「基地局」という用語は、セクタにサービスする固定局、ならびにセルにサービスする固定局に対して総称的に使用する。
【００９４】
端末１４２０は、一般に、システム全体にわたって分散され、各端末１４２０は固定でも移動でもよい。端末１４２０は、移動局、ユーザ機器、ユーザデバイス、ワイヤレス通信装置、アクセス端末、ユーザ端末または何らかの他の用語で呼ばれることもある。端末１４２０は、ワイヤレスデバイス、セルラー電話、携帯情報端末（ＰＤＡ）、ワイヤレスモデムカードなどとすることができる。各端末１４２０は、任意の所与の瞬間に、ダウンリンク（たとえば、ＦＬ）およびアップリンク（たとえば、ＲＬ）上の０、１つ、または複数のＢＳ１４１０と通信することができる。ダウンリンクは、基地局から端末への通信リンクを指し、アップリンクは、端末から基地局への通信リンクを指す。
【００９５】
集中型アーキテクチャの場合、システムコントローラ１４３０がＢＳ１４１０に結合し、ＢＳ１４１０のために調整および制御を行う。分散アーキテクチャの場合、ＢＳ１４１０は、必要に応じて（たとえば、ＢＳ１４１０を通信可能に結合する有線またはワイヤレスバックホールネットワークによって）互いに通信することができる。順方向リンク上のデータ送信は、しばしば１つのアクセスポイントから１つのアクセス端末へ、順方向リンクまたは通信システムによってサポートできる最大データ転送速度で、またはその近くで行われる。順方向リンクの追加のチャネル（たとえば、制御チャネル）は、複数のアクセスポイントから１つのアクセス端末に送信できる。逆方向リンクのデータ通信は、１つのアクセス端末から１つ以上のアクセスポイントに行うことができる。
【００９６】
図１５は、様々な態様による、計画または半計画ワイヤレス通信環境１５００の図である。システム１５００は、互いに、および／または１つまたは複数のモバイルデバイス１５０４に対して、ワイヤレス通信信号の受信、送信、中継などを行う１つまたは複数のセルおよび／またはセクタ内に１つまたは複数のＢＳ１５０２を備えることができる。図示のように、各ＢＳ１５０２は、１５０６ａ、１５０６ｂ、１５０６ｃおよび１５０６ｄと標示された４つの地理的領域として示される特定の地理的領域の通信カバレージを提供することができる。各ＢＳ１５０２は、当業者なら諒解するように、送信機チェーンと受信機チェーンとを備えることができ、送信機チェーンおよび受信機チェーンの各々は、信号の送信および受信に関連する複数の構成要素（たとえば、プロセッサ、変調器、マルチプレクサ、復調器、デマルチプレクサ、アンテナなど、図５を参照）を備えることができる。モバイルデバイス１５０４は、たとえば、セルラー電話、スマートフォン、ラップトップ、ハンドヘルド通信デバイス、ハンドヘルドコンピューティングデバイス、衛星ラジオ、全地球測位システム、ＰＤＡ、またはワイヤレスネットワーク１５００上で通信するための任意の他の適切なデバイスとすることができる。システム１５００は、本明細書で説明するように、ワイヤレス通信において高速マルチキャリア管理を可能にするために、本明細書で説明する様々な態様とともに使用することができる。
【００９７】
本開示において使用する、「構成要素」、「システム」、「モジュール」などの用語は、コンピュータ関連のエンティティ、すなわち、ハードウェア、ソフトウェア、実行中のソフトウェア、ファームウェア、ミドルウェア、マイクロコードのいずれか、および／またはそれらの任意の組合せを指すものとする。たとえば、モジュールは、プロセッサ上で動作するプロセス、プロセッサ、オブジェクト、実行可能ファイル、実行スレッド、プログラム、デバイス、および／またはコンピュータとすることができるが、これらに限定されない。１つまたは複数のモジュールがプロセスまたは実行スレッド内に常駐することができ、モジュールは、１つの電子デバイス上に配置すること、または２つ以上の電子デバイス間に分散させることが可能である。さらに、これらのモジュールは、様々なデータ構造を記憶している様々なコンピュータ可読媒体から実行することができる。これらのモジュールは、たとえば、１つまたは複数のデータパケット（たとえば、ローカルシステム、分散システム内の別の構成要素と対話する、またはインターネットなどのネットワーク上で信号を介して他のシステムと対話する１つの構成要素からのデータ）を有する信号に従ってローカルプロセスまたはリモートプロセスを介して通信することができる。さらに、当業者なら諒解するように、本明細書で説明するシステムの構成要素またはモジュールは、それに関して説明する様々な態様、目的、利点などを達成することができるように追加の構成要素／モジュール／システムによって再構成または補完でき、所与の図に記載の正確な構成に限定されない。
【００９８】
さらに、本明細書ではユーザ機器（ＵＥ）に関する様々な態様について説明する。ＵＥは、システム、加入者ユニット、加入者局、移動局、モバイル、モバイル通信デバイス、モバイルデバイス、リモート局、リモート端末、アクセス端末（ＡＴ）、ユーザエージェント（ＵＡ）、ユーザデバイスまたはユーザ端末（ＵＥ）と呼ばれることもある。加入者局は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、または処理デバイスとのワイヤレス通信を可能にするワイヤレスモデムもしくは同様の機構に接続された他の処理デバイスとすることができる。
【００９９】
１つまたは複数の例示的な実施形態では、説明する機能は、ハードウェア、ソフトウェア、ファームウェア、ミドルウェア、マイクロコード、またはそれらの適切な組合せで実装することができる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスできる任意の物理媒体とすることができる。限定ではなく例として、そのようなコンピュータ記憶媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、スマートカード、およびフラッシュメモリデバイス（たとえば、カード、スティック、キードライブ．．．）、あるいは命令またはデータ構造の形態の所望のプログラムコードを搬送または記憶するために使用でき、コンピュータによってアクセスできる任意の他の媒体を備えることができる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（登録商標）（disc）（ＣＤ）、レーザディスク（登録商標）（disc）、光ディスク（disc）、デジタル多用途ディスク（disc）（ＤＶＤ）、フロッピー（登録商標）ディスク（disk）およびブルーレイディスク（登録商標）（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１００】
ハードウェア実装の場合、本明細書で開示する態様に関して説明する処理ユニットの様々な例示的な論理、論理ブロック、モジュール、および回路は、１つまたは複数のＡＳＩＣ、ＤＳＰ、ＤＳＰＤ、ＰＬＤ、ＦＰＧＡ、個別ゲートまたはトランジスタ論理、個別ハードウェア構成要素、汎用プロセッサ、コントローラ、マイクロコントローラ、マイクロプロセッサ、本明細書で説明する機能を実行するように設計された他の電子ユニット、またはそれらの組合せの中で実装または実行できる。汎用プロセッサはマイクロプロセッサとすることができるが、代替として、プロセッサは、任意の従来のプロセッサ、コントローラ、マイクロコントローラ、または状態機械（state machine）とすることができる。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他の適切な構成としても実装できる。さらに、少なくとも１つのプロセッサは、本明細書で説明するステップおよび／またはアクションの１つまたは複数を実行するように動作可能な１つまたは複数のモジュールを備えることができる。
【０１０１】
さらに、本明細書で説明する様々な態様または特徴は、標準のプログラミングおよび／またはエンジニアリング技法を使用した方法、装置、または製造品として実装できる。さらに、本明細書で開示する態様に関して説明する方法またはアルゴリズムのステップおよび／またはアクションは、直接ハードウェアで実施するか、プロセッサによって実行されるソフトウェアモジュールで実施するか、またはその２つの組合せで実施することができる。さらに、いくつかの態様では、方法またはアルゴリズムのステップまたはアクションは、コンピュータプログラム製品に組み込むことができる、機械可読媒体またはコンピュータ可読媒体上のコードまたは命令の少なくとも１つまたは任意の組合せ、あるいはそのセットとして常駐することができる。本明細書で使用する「製造品」という用語は、任意の好適なコンピュータ可読デバイスまたは媒体からアクセス可能なコンピュータプログラムを包含するものとする。
【０１０２】
さらに、「例示的」という単語は、本明細書では、例、事例、または例示の働きをすることを意味するために使用する。「例示的」として本明細書で説明するいかなる態様または設計も、必ずしも他の態様または設計よりも好ましいまたは有利なものと解釈すべきではない。むしろ、例示的という単語の使用は、概念を具体的な形で提示するものである。本出願で使用する「または」という用語は、排他的な「または」ではなく、包括的な「または」を意味するものとする。すなわち、別段の規定がない限り、または文脈から明白でない限り、「ＸはＡまたはＢを使用する」という表現は、自然な包括的置換のいずれかを意味するものとする。すなわち、ＸがＡを使用するか、ＸがＢを使用するか、またはＸがＡとＢの両方を使用する場合、「ＸはＡまたはＢを使用する」は上記の例のいずれの下でも満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【０１０３】
さらに、本明細書で使用する「推論する」または「推論」という用語は、概して、事象またはデータを介して捕捉される観測のセットから、システム、環境、またはユーザの状態を推理または推論するプロセスを指す。推論は、特定のコンテキストまたは動作を識別するために使用でき、あるいは、たとえば、状態の確率分布を生成することができる。推論は、確率的、すなわち、データおよび事象の考察に基づく当該の状態の確率分布の計算とすることができる。推論は、事象またはデータのセットからより高いレベルの事象を構成するために採用される技法を指すこともある。そのような推論から、事象が時間的に緊切して相関するか否かにかかわらず、および事象およびデータが１つまたは複数の事象およびデータの発生源に由来するかどうかにかかわらず、観測された事象および／または記憶された事象データのセットから新しい事象または動作が構成される。
【０１０４】
以上の説明は、請求する主題の態様の例を含む。もちろん、請求する主題について説明する目的で構成要素または方法のあらゆる考えられる組合せについて説明することは不可能であるが、開示した主題の多数のさらなる組合せおよび置換が可能であることを、当業者なら認識できよう。したがって、開示した主題は、添付の特許請求の範囲の趣旨および範囲内に入るすべてのそのような改変形態、変更形態および変形形態を包含するものとする。さらに、「含む（include）」、「有する（has）」、「有する（having）」という用語は、そのような用語が、発明を実施するための形態または特許請求の範囲のいずれかで使用される限り、「備える（comprising）」という用語は使用すると請求項における移行語と解釈されるので、「備える（comprising）」と同様に包括的なものとする。
以下に、本願出願当初の特許請求の範囲に記載された発明を付記する。
［１］  ワイヤレスネットワークにおいてユーザ機器（ＵＥ）のためのマルチキャリア割当ての通知を取得することと、
前記マルチキャリア割当ての少なくとも１つのキャリアとのＵＥ対話を管理するためのルールを実行するためにデータプロセッサを採用することを備えたワイヤレス通信のための方法であって、前記ルールが、
前記ＵＥまたは前記ワイヤレスネットワークに関係するワイヤレス状態を分析することと、
前記ワイヤレス状態に基づいて、前記少なくとも１つのキャリアに関係する前記ＵＥのためのコマンドを生成することを備え、
下位レイヤシグナリングを介して前記コマンドを前記ＵＥに搬送するために通信インターフェースを採用することをさらに備える方法。
［２］  前記少なくとも１つのキャリアを活動化または非活動化するように前記ＵＥに命令するために前記コマンドを採用することをさらに備える、［１］に記載の方法。
［３］  前記少なくとも１つのキャリアの活動化または非活動化に応答して、前記ＵＥによって採用されるアップリンクフィードバックチャネルのセットを取得することと、
アップリンクフィードバックチャネルの前記セット上で前記ＵＥによって送信されるチャネル品質インジケータ（ＣＱＩ）またはパケット肯定応答（ＡＣＫ）および否定ＡＣＫ（ＮＡＣＫ）データを復号するために、アップリンクフィードバックチャネルの前記セットのための復号方式を採用すること
をさらに備える、［２］に記載の方法。
［４］  前記コマンドを搬送するために、物理レイヤまたはレイヤ２シグナリングプロトコルを少なくとも部分的に採用することをさらに備える、［１］に記載の方法。
［５］  前記ＵＥコマンドを前記ＵＥに搬送するために、前記ＵＥコマンドおよびＨＳ−ＳＣＣＨ信号のための高速共有制御チャネル（ＨＳ−ＳＣＣＨ）コマンドを採用することをさらに備える、［１］に記載の方法。
［６］  それぞれ前記ＵＥに割り振られた少なくとも１つの非アンカーキャリアの活動化および非活動化のために、前記少なくとも１つの非アンカーキャリアの各々のためのＨＳ−ＳＣＣＨオーダーのペアを予約することをさらに備える、［１］に記載の方法。
［７］  前記少なくとも１つの非アンカーキャリアの非活動化が、
パイロット信号またはＨＳ−ＳＣＣＨ信号以外の前記少なくとも１つの非アンカーキャリアの信号を無視するように前記ＵＥに命令すること、または
前記非アンカーキャリアのすべての信号を無視するように前記ＵＥに命令すること
のうちの少なくとも１つを備える、［６］に記載の方法。
［８］  前記ＵＥによる前記ＵＥコマンドの受信または実行を示す前記ＵＥからの応答を取得することをさらに備える、［１］に記載の方法。
［９］  前記ＵＥコマンドを搬送するために前記ＵＥに割り当てられた少なくとも１つのアンカーまたは非アンカーキャリアを採用することをさらに備える、［１］に記載の方法。
［１０］  前記ＵＥコマンドを搬送する際に不連続送信（ＤＴＸ）または不連続受信（ＤＲＸ）プロトコルを採用することをさらに備える、［１］に記載の方法。
［１１］  前記マルチキャリア割当てが無線ネットワークコントローラ（ＲＮＣ）においてレイヤ３シグナリングプロトコルコマンドによって実装される、［１］に記載の方法。
［１２］  前記ワイヤレス状態がネットワーク負荷の測定を備える、［１］に記載の方法。
［１３］  前記ネットワーク負荷測定が、ダウンリンク上の総電力またはコード使用量、アップリンク上のライズオーバサーマル（ＲｏＴ）インジケータによって、あるいは、ＵＥスループット、バッファステータス、または前記アップリンクもしくは前記ダウンリンクのいずれかの上のサービス品質パフォーマンスもしくは要件によって判断される、［１２］に記載の方法。
［１４］  前記ワイヤレス状態が前記ＵＥのチャネル品質またはスループットの測定を備える、［１］に記載の方法。
［１５］  前記チャネル品質が、ダウンリンク上のＣＱＩまたはアップリンク上のスケジューリング情報（ＳＩ）によって判断される、［１４］に記載の方法。
［１６］  非アンカーワイヤレスキャリアとのＵＥ対話を管理するように構成されたモジュールのセットを実行するデータプロセッサを具備したワイヤレス通信のための装置であって、モジュールの前記セットが、
前記装置によってサービスされるＵＥのためのマルチキャリア割当ての通知を取得するインターフェースモジュールと、
ＵＥに関係するワイヤレス状態を測定する分析モジュールと、
前記非アンカーワイヤレスキャリアに関係する、前記ＵＥのための管理オーダーを生成する制御モジュールを備え、
下位レイヤ信号上で前記ＵＥに前記管理オーダーを搬送する通信インターフェース
をさらに備える装置。
［１７］  前記制御モジュールが、前記非アンカーワイヤレスキャリアを活動化または非活動化するように前記ＵＥに命令するために前記管理コマンドを採用する、［１６］に記載の装置。
［１８］  前記インターフェースモジュールが、前記非アンカーワイヤレスキャリアの活動化または非活動化に応答して、前記ＵＥによって採用されるアップリンクフィードバックチャネルのセットを取得し、
前記データプロセッサが、アップリンクフィードバックチャネルの前記セット上で前記ＵＥによって送信されるＣＱＩまたはＡＣＫおよびＮＡＣＫデータを復号するために、アップリンクフィードバックチャネルの前記セットのための復号方式を採用する、［１７］に記載の装置。
［１９］  前記管理オーダーが明示的コマンドまたは暗示的コマンドである、［１６］に記載の装置。
［２０］  前記明示的コマンドが物理レイヤＨＳ−ＳＣＣＨオーダーを備えること、または
前記暗示的コマンドが、少なくとも部分的にレイヤ２シグナリングプロトコルを介して生成されるＤＴＸまたはＤＲＸメッセージを備えること
のうちの少なくとも１つである、［１８］に記載の装置。
［２１］  前記非アンカーキャリアの活動化および非活動化のための前記非アンカーキャリアのためのＨＳ−ＳＣＣＨオーダーのペアを生成する物理プロトコルモジュールをさらに備える、［１６］に記載の装置。
［２２］  前記物理プロトコルモジュールが、
前記非アンカーキャリアの信号を無視するように前記ＵＥに命令すること、または
前記非アンカーキャリアのパイロット信号またはＨＳ−ＳＣＣＨ信号のみを監視するように前記ＵＥに命令すること
のうちの少なくとも１つを行う、［２１］請求項２１に記載の装置。
［２３］  前記管理オーダーの受信または実行を示す前記ＵＥからの応答を取得するフィードバックモジュールをさらに備える、［１６］に記載の装置。
［２４］  前記通信インターフェースが、前記管理オーダーを搬送するために、前記ＵＥによって利用されるアンカーキャリアを採用する、［１６］に記載の装置。
［２５］  前記マルチキャリア割当てが、前記ＵＥをサービスするワイヤレスネットワークＲＮＣによってレイヤ３プロトコル上で実装される、［１６］に記載の装置。
［２６］  ネットワーク負荷に応じて前記ネットワーク状態を確立するローディングモジュールをさらに備える、［１６］に記載の装置。
［２７］  前記ローディングモジュールが、電力またはコード使用量に基づくダウンリンク負荷または測定されたＲｏＴに基づくアップリンク負荷を測定するか、あるいは、ＵＥスループット、バッファ状況、または前記ダウンリンクもしくは前記アップリンクのいずれかの上のサービス品質（ＱｏＳ）パフォーマンスもしくは要件を採用する、［２６］に記載の装置。
［２８］  チャネル品質または前記ＵＥのスループットに応じて前記ネットワーク状態を確立するチャネル分析モジュールをさらに備える、［１６］に記載の装置。
［２９］  前記チャネル分析モジュールが、前記ネットワーク状態を確立するためにＣＱＩまたはＳＩを採用する、［２８］に記載の装置。
［３０］  前記ＵＥの電力消費目標を取得するパフォーマンスモジュールをさらに備え、前記電力消費目標が、前記管理オーダーを生成する際に前記制御モジュールによって採用される、［１６］に記載の装置。
［３１］  ワイヤレスネットワークにおいてＵＥのためのマルチキャリア割当ての通知を取得する手段と、
前記マルチキャリア割当ての少なくとも１つのキャリアとのＵＥ対話を管理するためのルールを実行するためにデータプロセッサを採用する手段を具備したワイヤレス通信のための装置であって、前記ルールが、
前記ＵＥまたは前記ワイヤレスネットワークに関係するワイヤレス状態を分析することと、
前記ワイヤレス状態に基づいて、前記少なくとも１つのキャリアに関係するＵＥコマンドを生成することを備え、
下位レイヤシグナリングを介して前記コマンドを前記ＵＥに搬送する手段
をさらに備える装置。
［３２］  ワイヤレス通信のために構成された少なくとも１つのプロセッサであって、
ワイヤレスネットワークにおいてＵＥのためのマルチキャリア割当ての通知を取得するための第１のモジュールと、
前記ＵＥまたは前記ワイヤレスネットワークに関係するワイヤレス状態を分析するための第２のモジュールと、
前記ワイヤレス状態に基づいて、前記少なくとも１つのキャリアに関係するＵＥコマンドを生成するための第３のモジュールと、
下位レイヤシグナリングを介して前記コマンドを前記ＵＥに搬送するための第４のモジュールと
を備えるプロセッサ。
［３３］  ワイヤレスネットワークにおいてＵＥのためのマルチキャリア割当ての通知を取得することをコンピュータに行わせるためのコードの第１のセットと、
前記ＵＥまたは前記ワイヤレスネットワークに関係するワイヤレス状態を分析することを前記コンピュータに行わせるためのコードの第２のセットと、
前記ワイヤレス状態に基づいて、前記少なくとも１つのキャリアに関係するＵＥコマンドを生成することを前記コンピュータに行わせるためのコードの第３のセットと、
下位レイヤシグナリングを介して前記コマンドを前記ＵＥに搬送することを前記コンピュータに行わせるためのコードの第４のセットと
を備えるコンピュータ可読媒体
を具備したコンピュータプログラム製品。
［３４］  ワイヤレス通信に関与するための方法であって、
ワイヤレスネットワーク構成要素からマルチキャリア割当てを取得するためにワイヤレス通信インターフェースを採用することと、
物理レイヤまたはレイヤ２シグナリングプロトコルメッセージを取得するために前記通信インターフェースを採用することと、
前記メッセージから前記マルチキャリア割当ての非アンカーキャリアに関係するコマンドを抽出するためにデータプロセッサを採用すること
を備える方法。
［３５］  前記マルチキャリア割当てを取得するために、レイヤ３シグナリングプロトコルメッセージを復号するように前記データプロセッサを採用することをさらに備える、［３４］に記載の方法。
［３６］  前記コマンドに基づいて前記非アンカーキャリアを活動化または非活動化することをさらに備える、［３４］に記載の方法。
［３７］  前記非アンカーキャリアの前記活動化または非活動化に基づいて、チャネルフィードバックデータを提出する際に採用されるアップリンクフィードバックチャネルのセットを調整し、前記調整されたフィードバックチャネルをサービングネットワークアクセスポイントに提出すること、または
前記非アンカーキャリアの活動化または非活動化時にＣＱＩまたはＡＣＫおよびＮＡＣＫ符号化フォーマットを変更し、前記変更された符号化フォーマットを前記サービングネットワークアクセスポイントに提出すること
のうちの少なくとも１つをさらに備える、［３６］に記載の方法。
［３８］  前記非アンカーキャリアを活動化または非活動化することが、
前記非アンカーキャリア上のシグナリングを無視すること、
前記非アンカーキャリア上の処理を終了すること、または
前記非アンカーキャリア上の非パイロットあるいは非共有制御チャネルのシグナリングを無視すること
のうちの少なくとも１つをさらに備える、［３６］に記載の方法。
［３９］  前記コマンドに基づいて前記非アンカーキャリアのためのチャネルフィードバックを活動化または非活動化することをさらに備える、［３４］に記載の方法。
［４０］  前記コマンドを受信するとタイマを開始することと、
前記タイマの継続時間の間前記コマンドに従うこと
をさらに備える、［３４］に記載の方法。
［４１］  前記タイマの満了より前にマルチキャリアコマンドが受信された場合は、そのようなコマンドに従い、前記タイマをリセットすること、
前記タイマの満了時にデフォルト状況に戻ること、または
前記タイマの満了時に以前の状況に戻ること
のうちの少なくとも１つをさらに備える、［４０］に記載の方法。
［４２］  前記メッセージから前記コマンドを抽出するためにＨＳ−ＳＣＣＨオーダーを復号することをさらに備える、［３４］に記載の方法。
［４３］  前記メッセージが、ワイヤレスチャネルのＤＴＸまたはＤＲＸサイクルに対して行われているシグナリングアクティビティまたはそのようなアクティビティの欠如を備える、［３４］に記載の方法。
［４４］  前記シグナリングアクティビティまたはそのようなアクティビティの欠如に基づいて前記非アンカーキャリアを活動化または非活動化するために、オーダーを推論することをさらに備える、請求項４３に記載の方法。
［４５］  シングルまたはマルチキャリアチャネルに関係するＣＱＩまたはＳＩデータをワイヤレスネットワークアクセスポイントに提出することをさらに備える、［３４］に記載の方法。
［４６］  前記提出が、
前記ワイヤレスネットワークアクセスポイントからのチャネルデータの要求、または
ワイヤレスネットワークプロトコルによって定義された周期的チャネル提出
のうちの少なくとも１つに応答する、請求項４５に記載の方法。
［４７］  電力保存目標に少なくとも部分的に基づくネットワークベースのマルチキャリア管理を可能にするために、パフォーマンス、スループットまたは前記目標をワイヤレスネットワークに提出することをさらに備える、［３４］に記載の方法。
［４８］  パフォーマンス、スループットまたは電力消費目標に基づいて、前記コマンドに従うか、拒否するかまたは修正することをさらに備える、［３４］に記載の方法。
［４９］  ワイヤレス通信に関与するための装置であって、
ワイヤレスシグナリングプロトコルの１つのレイヤ上でマルチキャリア割当てを取得し、前記ワイヤレスシグナリングプロトコルの異なるレイヤ上で前記マルチキャリア割当てに関係するコマンドを取得するワイヤレス通信インターフェースと、
前記コマンドを処理し、前記コマンドを実装するためのモジュールのセットを実行するためのデータプロセッサと
を備える装置。
［５０］  前記ワイヤレスシグナリングプロトコルの前記１つのレイヤがレイヤ３シグナリングプロトコルである、［４９］に記載の装置。
［５１］  前記ワイヤレスシグナリングプロトコルの前記異なるレイヤがレイヤ２または物理レイヤシグナリングプロトコルである、［４９］に記載の装置。
［５２］  前記マルチキャリア割当てによって指定された非アンカーキャリアを開始または非活動化する活動化モジュールをさらに備える、［４９］に記載の装置。
［５３］  前記活動化モジュールが、
前記非アンカーキャリアの前記活動化または非活動化に応答して、チャネルフィードバックデータを提出する際に採用されるアップリンクフィードバックチャネルを調整し、前記調整されたフィードバックチャネルをサービング基地局に提出すること、または
前記非アンカーキャリアの活動化または非活動化に応答してＣＱＩまたはＡＣＫおよびＮＡＣＫ符号化フォーマットを変更し、前記変更された符号化フォーマットを前記サービング基地局に提出すること
のうちの少なくとも１つを行う、［５２］に記載の装置。
［５４］  前記活動化モジュールが、
前記非アンカーキャリアを非活動化するために、そのようなキャリア上のシグナリングを無視すること、または
前記非アンカーキャリアを非活動化するために、そのようなキャリア上の非パイロットまたは非共有制御チャネルシグナリングを無視すること
のうちの少なくとも１つを行う、［５２］に記載の装置。
［５５］  前記コマンドに基づいて、前記非アンカーキャリアのためのチャネル報告を活動化または非活動化するフィードバックモジュールをさらに備える、［４９］に記載の装置。
［５６］  前記コマンドの処理時に前記データプロセッサによってカウンタを設定するタイミングモジュールをさらに備え、前記装置が、前記カウンタによって確立された継続時間の間前記コマンドに従う、［４９］に記載の装置。
［５７］  前記データプロセッサが、
前記継続時間内に後続のマルチキャリアコマンドが受信された場合は、そのような後続のコマンドに従うこと、
前記継続時間内にコマンドが受信されない場合は、前記装置をデフォルトのシングルキャリア状況に戻すこと、または
前記継続時間内にコマンドが受信されない場合は、前記装置を以前の状況に戻すこと
のうちの少なくとも１つを行う、［５６］に記載の装置。
［５８］  前記ワイヤレスシグナリングプロトコルの前記異なるレイヤからの前記コマンドを復号する分析モジュールをさらに備える、［４９］に記載の装置。
［５９］  前記分析モジュールが、前記コマンドを、
共有制御チャネルオーダー、または
ＤＲＸまたはＤＴＸ論理オーダー
のうちの少なくとも１つとして復号する、［５８］に記載の装置。
［６０］  前記データプロセッサが、ＤＲＸまたはＤＴＸチャネル上のシグナリングアクティビティに基づいて、前記ＤＲＸまたはＤＴＸ論理オーダーからのコマンドを推論する、［５９］に記載の装置。
［６１］  シングルまたはマルチキャリアチャネルに関係するＣＱＩまたはＳＩデータを、前記装置にサービスするワイヤレスネットワークアクセスポイントに提出する報告モジュールをさらに備える、［４９］に記載の装置。
［６２］  前記報告モジュールが、
前記アクセスポイントからの要求に応答して前記データを提出すること、または
前記ワイヤレスネットワークによって報告が開始されるとき、前記応答を周期的に提出すること
のうちの少なくとも１つを行う、［６１］に記載の装置。
［６３］  前記マルチキャリア割当てに関係する前記装置の動作目標を維持する管理モジュールをさらに備える、［４９］に記載の装置。
［６４］  前記管理モジュールが、
前記動作目標に基づいて、前記装置のためのマルチキャリアアクティビティのネットワーク管理を可能にするために、サービングネットワークアクセスポイントに前記目標を提出すること、または
マルチキャリアアクティビティのＵＥ並み管理を可能にするために、前記目標に基づいて、前記コマンドに従うこと、拒否すること、または修正すること
のうちの少なくとも１つを行う、［６３］に記載の装置。
［６５］  ワイヤレス通信に関与するための装置であって、
ワイヤレスネットワーク構成要素からマルチキャリア割当てを取得するためにワイヤレス通信インターフェースを採用する手段と、
物理レイヤまたはレイヤ２シグナリングプロトコルメッセージを取得するために前記通信インターフェースを採用する手段と、
前記メッセージから前記マルチキャリア割当ての非アンカーキャリアに関係するコマンドを抽出するためにデータプロセッサを採用する手段と
を備える装置。
［６６］  ワイヤレス通信に関与するように構成された少なくとも１つのプロセッサであって、
ワイヤレスネットワーク構成要素からマルチキャリア割当てを取得するためにワイヤレス通信インターフェースを採用する第１のモジュールと、
物理レイヤまたはレイヤ２シグナリングプロトコルメッセージを取得するために前記通信インターフェースを採用する第２のモジュールと、
前記メッセージから前記マルチキャリア割当ての非アンカーキャリアに関係するコマンドを抽出するためにデータプロセッサを採用する第３のモジュールと
を備えるプロセッサ。
［６７］  ワイヤレスネットワーク構成要素からマルチキャリア割当てを取得するためにワイヤレス通信インターフェースを採用することをコンピュータに行わせるコードの第１のセットと、
物理レイヤまたはレイヤ２シグナリングプロトコルメッセージを取得するために前記通信インターフェースを採用することを前記コンピュータに行わせるコードの第２のセットと、
前記メッセージから前記マルチキャリア割当ての非アンカーキャリアに関係するコマンドを抽出するためにデータプロセッサを採用することを前記コンピュータに行わせるコードの第３のセットと
を備えるコンピュータ可読媒体
を具備したコンピュータプログラム製品。
【図１】
0005602908.tif 000002
【図２】
0005602908.tif 000003
【図３】
0005602908.tif 000004
【図４】
0005602908.tif 000005
【図５】
0005602908.tif 000006
【図６】
0005602908.tif 000007
【図７】
0005602908.tif 000008
【図８】
0005602908.tif 000009
【図９】
0005602908.tif 000010
【図１０】
0005602908.tif 000011
【図１１】
0005602908.tif 000012
【図１２】
0005602908.tif 000013
【図１３】
0005602908.tif 000014
【図１４】
0005602908.tif 000015
【図１５】
0005602908.tif 000016